(57)【要約】【課題】視認性の高いシリーズ番組の一覧を表示することが可能な電子機器、方法及びプログラムを提供する。【解決手段】実施形態によれば、方法は、ユーザによる操作を受け付けることと、ユーザによる操作に応じて、録画予約された番組、録画中の番組、または録画済みの番組のうち、第１シリーズに属する複数の第１番組の複数の第１アイコンと、第２シリーズに属する複数の第２番組の複数の第２アイコンと、が２次元状に配置される第１画面を表示することとを具備し、第１シリーズと第２シリーズは、それぞれシリーズに属する複数の番組のうち少なくとも録画済みの番組が録画された日時のうちの直近の日時に従ってソートされ、複数の第１アイコンと、複数の第２アイコンとは、それぞれシリーズにおける番組に対応するエピソード番号順に配列される。【選択図】図１９
2016066920.tif 000002
【特許請求の範囲】
【請求項１】
ユーザによる操作を受け付けることと、
前記ユーザによる操作に応じて、録画予約された番組、録画中の番組、または録画済みの番組のうち、第１シリーズに属する複数の第１番組の複数の第１アイコンと、第２シリーズに属する複数の第２番組の複数の第２アイコンと、が２次元状に配置される第１画面を表示することと
を具備し、
前記第１シリーズと前記第２シリーズは、それぞれシリーズに属する複数の番組のうち少なくとも録画済みの番組が録画された日時のうちの直近の日時に従ってソートされ、
前記複数の第１アイコンと、前記複数の第２アイコンとは、それぞれシリーズにおける番組に対応するエピソード番号順に配列される
方法。
【請求項２】
シリーズに属する複数の番組を録画予約するためのシリーズ録画予約を当該シリーズに対して設定することを更に具備し、
前記第１画面は、シリーズ毎に、当該シリーズに対してシリーズ録画予約が設定されているか否かを示す情報を含む
請求項１記載の方法。
【請求項３】
前記第１画面は、前記第１シリーズと前記第２シリーズのシリーズ名を含み、
前記複数の第１アイコンと、前記複数の第２アイコンとは、それぞれシリーズにおける番組に対応するエピソード名を含む
請求項１記載の方法。
【請求項４】
前記表示することは、前記複数の第１番組のうちの録画中の番組または録画済みの番組の複数の第１アイコンと、前記複数の第２番組のうちの録画中の番組または録画済みの番組の複数の第２アイコンと、が２次元状に配置される第１画面を表示し、
前記第１画面は、前記複数の第１番組のうちの録画予約された第１番組数と、前記複数の第２番組のうちの録画予約された第２番組数とを含む
請求項１記載の方法。
【請求項５】
前記ユーザによる操作に応じて前記第１画面に配置される前記複数の第１アイコンと前記複数の第２アイコンとをスクロールして表示することと、
前記スクロールして表示された後に前記第１画面から第２画面に遷移する場合、当該スクロールに応じた当該第１画面の状態を記憶手段に記憶することと
を更に具備し、
前記表示することは、前記第１画面が再度表示される場合、前記記憶手段に記憶された状態に基づいて前記第１画面を表示することを含む
請求項１記載の方法。
【請求項６】
ユーザによる操作を受け付ける受付手段と、
前記ユーザによる操作に応じて、録画予約された番組、録画中の番組、または録画済みの番組のうち、第１シリーズに属する複数の第１番組の複数の第１アイコンと、第２シリーズに属する複数の第２番組の複数の第２アイコンと、が２次元状に配置される第１画面を表示する表示制御手段と
を具備し、
前記第１シリーズと前記第２シリーズは、それぞれシリーズに属する複数の番組のうち少なくとも録画済みの番組が録画された日時のうちの直近の日時に従ってソートされ、
前記複数の第１アイコンと、前記複数の第２アイコンとは、それぞれシリーズにおける番組に対応するエピソード番号順に配列される
電子機器。
【請求項７】
シリーズに属する複数の番組を録画予約するためのシリーズ録画予約を当該シリーズに対して設定する設定手段を更に具備し、
前記第１画面は、シリーズ毎に、当該シリーズに対してシリーズ録画予約が設定されているか否かを示す情報を含む
請求項６記載の電子機器。
【請求項８】
前記第１画面は、前記第１シリーズと前記第２シリーズのシリーズ名を含み、
前記複数の第１アイコンと、前記複数の第２アイコンとは、それぞれシリーズにおける番組に対応するエピソード名を含む
請求項６記載の電子機器。
【請求項９】
前記表示制御手段は、前記複数の第１番組のうちの録画中の番組または録画済みの番組の複数の第１アイコンと、前記複数の第２番組のうちの録画中の番組または録画済みの番組の複数の第２アイコンと、が２次元状に配置される第１画面を表示し、
前記第１画面は、前記複数の第１番組のうちの録画予約された第１番組数と、前記複数の第２番組のうちの録画予約された第２番組数とを含む
請求項６記載の電子機器。
【請求項１０】
記憶手段を更に含み、
前記表示制御手段は、前記ユーザによる操作に応じて前記第１画面に配置される前記複数の第１アイコンと前記複数の第２アイコンとをスクロールして表示し、
前記記憶手段は、前記スクロールして表示された後に前記第１画面から第２画面に遷移する場合、当該スクロールに応じた当該第１画面の状態を記憶し、
前記表示制御手段は、前記第１画面が再度表示される場合、前記記憶手段に記憶された状態に基づいて前記第１画面を表示する
請求項６記載の電子機器。
【請求項１１】
コンピュータにより実行されるプログラムであって、
前記コンピュータに、
ユーザによる操作を受け付けることと、
前記ユーザによる操作に応じて、録画予約された番組、録画中の番組、または録画済みの番組のうち、第１シリーズに属する複数の第１番組の複数の第１アイコンと、第２シリーズに属する複数の第２番組の複数の第２アイコンと、が２次元状に配置される第１画面を表示することと
を実行させ、
前記第１シリーズと前記第２シリーズは、それぞれシリーズに属する複数の番組のうち少なくとも録画済みの番組が録画された日時のうちの直近の日時に従ってソートされ、
前記複数の第１アイコンと、前記複数の第２アイコンとは、それぞれシリーズにおける番組に対応するエピソード番号順に配列される
プログラム。
【請求項１２】
前記コンピュータに、シリーズに属する複数の番組を録画予約するためのシリーズ録画予約を当該シリーズに対して設定することを更に実行させ、
前記第１画面は、シリーズ毎に、当該シリーズに対してシリーズ録画予約が設定されているか否かを示す情報を含む
請求項１１記載のプログラム。
【請求項１３】
前記第１画面は、前記第１シリーズと前記第２シリーズのシリーズ名を含み、
前記複数の第１アイコンと、前記複数の第２アイコンとは、それぞれシリーズにおける番組に対応するエピソード名を含む
請求項１１記載のプログラム。
【請求項１４】
前記表示することは、前記複数の第１番組のうちの録画中の番組または録画済みの番組の複数の第１アイコンと、前記複数の第２番組のうちの録画中の番組または録画済みの番組の複数の第２アイコンと、が２次元状に配置される第１画面を表示し、
前記第１画面は、前記複数の第１番組のうちの録画予約された第１番組数と、前記複数の第２番組のうちの録画予約された第２番組数とを含む
請求項１１記載のプログラム。
【請求項１５】
前記コンピュータに、
前記ユーザによる操作に応じて前記第１画面に配置される前記複数の第１アイコンと前記複数の第２アイコンとをスクロールして表示することと、
前記スクロールして表示された後に前記第１画面から第２画面に遷移する場合、当該スクロールに応じた当該第１画面の状態を記憶手段に記憶することと
を更に実行させ、
前記表示することは、前記第１画面が再度表示される場合、前記記憶手段に記憶された状態に基づいて前記第１画面を表示することを含む
請求項１１記載のプログラム。
【発明の詳細な説明】
【技術分野】
【０００１】
本発明の実施形態は、電子機器、方法及びプログラムに関する。
【背景技術】
【０００２】
近年では、インターネット接続が可能であり、当該インターネット上のサーバと通信を行うことによって、種々の情報をユーザに提供することが可能なデジテルテレビジョン装置（以下、ＴＶ装置と表記）が開発されている。
【０００３】
また、ＴＶ装置においては、当該ＴＶに接続された記録装置（例えば、ＨＤＤ）に番組を記録（つまり、録画）することができる。これによれば、ユーザは、録画された番組の中から所望の番組を選択することによって、当該番組を任意の時間に視聴することが可能となる。
【０００４】
なお、このようなＴＶ装置において録画可能な番組の中には、同一のシリーズに属する番組が含まれる。
【先行技術文献】
【特許文献】
【０００５】
【特許文献１】特開２００７−３００４１２号公報
【発明の概要】
【発明が解決しようとする課題】
【０００６】
ところで、上記したＴＶ装置においては、録画予約がされている番組、録画中の番組及び録画済みの番組等の一覧（以下、録画番組一覧と表記）を表示することができる。
【０００７】
しかしながら、このような録画番組一覧では、上記したシリーズに属する番組（以下、シリーズ番組と表記）に対する視認性が低く、ユーザが当該シリーズ番組（の録画状況等）を容易に把握することは困難である。
【０００８】
そこで、本発明の一形態は、視認性の高いシリーズ番組の一覧を表示することが可能な電子機器、方法及びプログラムを提供する。
【課題を解決するための手段】
【０００９】
実施形態によれば、方法は、ユーザによる操作を受け付けることと、前記ユーザによる操作に応じて、録画予約された番組、録画中の番組、または録画済みの番組のうち、第１シリーズに属する複数の第１番組の複数の第１アイコンと、第２シリーズに属する複数の第２番組の複数の第２アイコンと、が２次元状に配置される第１画面を表示することとを具備し、前記第１シリーズと第２シリーズは、それぞれシリーズに属する複数の番組のうち少なくとも録画済みの番組が録画された日時のうちの直近の日時に従ってソートされ、前記複数の第１アイコンと、前記複数の第２アイコンとは、それぞれシリーズにおける番組に対応するエピソード番号順に配列される。
【図面の簡単な説明】
【００１０】
【図１】実施形態に係るＴＶ装置に表示されるメニュー画面の一例を示す図。
【図２】本実施形態に係るＴＶ装置の全体構成の一例を示す図。
【図３】本実施形態における番組の状態遷移の一例について説明するための図。
【図４】録画番組一覧を表示する際のビュー制御部１４２の処理手順の一例を示すフローチャート。
【図５】ＴＶ装置に録画番組一覧として表示されるカレンダービューの一例について説明するための図。
【図６】カレンダービューにおける各番組の表示位置の一例について具体的に説明するための図。
【図７】録画予約済み番組を表すサムネイル画像の表示態様の一例を示す図。
【図８】録画中番組を表すサムネイル画像の表示態様の一例を示す図。
【図９】録画済み番組を表すサムネイル画像の表示態様の一例を示す図。
【図１０】シリーズ構成番組を表すサムネイル画像の表示態様の一例を示す図。
【図１１】シリーズ構成番組が選択されている場合におけるカレンダービューの番組情報表示領域の一例について説明するための図。
【図１２】番組詳細ポップアップの一例を示す図。
【図１３】シリーズフォルダポップアップの一例を示す図。
【図１４】各番組の状態に応じて表示されるアクションボタンの一例を示す図。
【図１５】カレンダービューにおいてフォーカス番組が所定の位置に設定される場合について説明するための図。
【図１６】フォーカスが設定されている番組が削除される場合の一例について説明するための図。
【図１７】フォーカスが設定されている番組が削除される場合の他の例について説明するための図。
【図１８】フォーカスが設定されている番組が削除される場合の更に他の例について説明するための図。
【図１９】ＴＶ装置に録画番組一覧として表示されるシリーズビューの一例について説明するための図。
【図２０】自動録画機能設定処理の処理手順の一例を示すフローチャート。
【図２１】ＴＶ装置において録画済み番組が再生される場合の処理手順の一例を示すフローチャート。
【図２２】コンテンツ再生画面の一例について説明するための図。
【図２３】リモートコントローラに対するユーザの操作に応じた再生対象番組の状態遷移の一例について説明するための図。
【図２４】「メディアガイド」ボタンが指定された場合の表示画面の一例について説明するための図。
【発明を実施するための形態】
【００１１】
以下、図面を参照して、実施形態について説明する。本実施形態に係る電子機器は、スタンドアローンで構成されてもよいし、セットトップボックス、またはＴＶ装置、レコーダ、携帯端末等に内蔵されてもよい。以下の説明では、一例として、本実施形態に係る電子機器が各種放送番組を視聴可能なＴＶ装置に適用された場合を説明する。
【００１２】
本実施形態に係るＴＶ装置は、番組（コンテンツ）視聴中に、クラウドサービスを起動する指示があった場合に、当該視聴番組とともに、当該番組に関連するサービスメニューを一覧表示させ、また、表示ステートに応じて関連するサービスメニューを切り替え表示することができるものとする。なお、本実施形態に係るＴＶ装置においてクラウドサービスが起動される場合、当該ＴＶ装置は、各種サーバと通信可能に接続される。
【００１３】
また、ＴＶ装置は、後述するようにネットワークに接続可能な統括コントローラを含む。この統括コントローラは、ログインデータ管理部及びコミュニケーションデータ管理部等を含む。ログイン管理部は、例えば複数人の共通ログイン識別子（共通ＩＤ）、個人の専用ログイン識別子（個人ＩＤ）を管理する。コミュニケーションデータ管理部は、共通ログイン識別子に対応したコミュニケーションデータ、専用ログイン識別子に対応したコミュニケーションデータを区別して表示出力の選別を行う。また、コミュニケーションデータ管理部は、共通ログイン識別子がログイン状態に有るときは、専用ログイン識別子に対応したコミュニケーションデータを非公開制御する。
【００１４】
なお、本実施形態に係るＴＶ装置は多数のユーザ（クライアント）によって利用されるが、当該多数のＴＶ装置におけるログイン状態及びログアウト状態はサーバのテーブルで管理される。また、上記したログイン管理部は、現在ログイン状態にあるログイン識別子を定期的にサーバへ送信してもよい。これにより、サーバは、各ＴＶ装置のログイン状態をより正確に把握することができる。
【００１５】
ここで、図１は、本実施形態に係るＴＶ装置がネットワークに接続され、例えば個人ＩＤによりログインしたときのメニュー画面（以下、クラウドメニュー画面と表記）１００の表示状態を示している（この例ではアカウント名がＳａｒａｈであるユーザがログインしている）。なお、この状態は「ホーム（画面）」と称される。
【００１６】
クラウドメニュー画面１００の左側の表示領域１０１には、放送されている番組の映像、または例えばＨＤＤのような記録装置から再生されている番組の映像を表示する。クラウドメニュー画面１００の右側の表示領域１０２には、複数の小サイズのガイド画像が１個、２個、３個…と増加して表示される。このガイド画像には、例えば友達からの通知、及びレコメンドデータを受け取るための各種送受信箱用のガイド画像等が含まれる。送受信箱としては、アウトルック、メール、メッセージ、レコメンドデータ用等がある。各送受信箱を表す画面枠に対しては、固有名を付加することが可能であり、また画像ファイルの中から所望な画像を選択してガイド画像として付加することも可能である。メッセージやレコメンドデータが送受信箱に到着している場合、対応するガイド画像には、例えば丸印が付加される、フレーム枠の色が変化する、またはフレーム枠の輝度が繰り返し変化する等して表示される。複数のレコメンドデータが送受信箱に到着している場合、複数の丸印が対応するガイド画像に付加されて表示されてもよい。また、複数のレコメンドデータの受信数を示す数字が表示されてもよい。
【００１７】
上記の送受信箱は、例えば友達との間の通信等に利用可能である。この場合、例えば友人からアルバム集が送信されてくる場合もある。また、友人からレコメンドデータが送信されてくる場合もある。レコメンドデータとしては、例えばお勧め番組情報、お勧めショッピング情報等がある。また、お勧めシーン、お勧め出演者等の情報もある。
【００１８】
更に、機能系の複数のガイド画像が表示領域１０１の下側の表示領域１０３に表示される。機能系のガイド画像は、表示領域１０１に表示されている再生画像に関連してユーザがＴＶ装置を操作する場合に利用される。例えば表示領域１０１に表示されている再生画像に関連して、ユーザと外部サーバ（他のユーザ）との間でコミュニケーションが行われる場合に、このガイド画像を利用することができる。
【００１９】
ここで、表示領域１０２のガイド画像の利用例について説明する。ユーザは例えばリモートコントローラを操作し、所望のガイド画像（例えば、友達へのメッセージ用のガイド）にフォーカス（カーソル）を合わせることができる。なお、ここではリモートコントローラを操作するものとするが、リモートコントローラ機能を有する携帯端末等が操作されても構わない。また、ガイド画像は操作ボタンと称されてもよい。フォーカスは、例えばガイド画像を囲むフレームとして表示される。また、フォーカスされたガイド画像の輝度が他の部分より高くなる（つまり、ハイライトされる）ようにしてもよい。フォーカスが所望のガイド画像上に位置しているときに、リモートコントローラの決定ボタンが押される（またはクリックボタンでクリックされる）と、ガイド画像に対応した送受信箱が開かれ、例えばメッセージ等が表示される。メッセージは、例えば表示領域１０２の全体または半分を利用して表示されることができる。
【００２０】
また、ユーザはリモートコントローラを操作し、レコメンドデータの送受信箱を開くこともできる。レコメンドデータは、例えば友達から送られてきたお勧め番組を示すお勧め番組情報、またはお勧めショッピング情報である場合がある。この場合、ユーザがお勧め番組に興味を持ち、当該番組を視聴したいと思ったものとする。このとき、ユーザが表示されているお勧め番組情報の選択ボタンにフォーカスを合わせて決定ボタンを押すと、ＴＶ装置は、自動的に当該番組の再生を開始することができる。この場合、番組の再生画像は、小さい画面で表示されて、次にユーザが決定ボタンを押したときに大画面で表示されてもよい。
【００２１】
送受信箱は、通信相手の送受信箱や携帯端末へメッセージを送る場合にも利用することができる。お勧め番組情報は、例えば、タイトル名、番組内の一部のシーン、出演者名または出演者の画像として表示される。お勧め番組情報には、放送チャンネル番号、放送日、出演者のプロローグのような情報及びコンテンツサーバアドレス等も含まれる。
【００２２】
このときのＴＶ装置が番組コンテンツを取得する方法は、ＴＶ装置に接続されている記録装置（例えば、ＨＤＤ）を駆動して取得する第１の方法と、インターネットを介してコンテンツサーバからダウンロードして取得する第２の方法がある。第１の方法においては、記録装置に記録されている番組の番組リスト検索機能が動作する。また、第２の方法においては、先のお勧め番組情報に含まれるコンテンツを有するサーバへのアドレスが利用される。
【００２３】
また、お勧め番組情報には、ユーザが番組コンテンツを取得しやすいように加工されたデータが含まれている場合がある。すなわち、友達が推薦したお勧め番組情報は、例えば当該友達が利用する各種装置からサーバにアップロードされるが、このサーバにおいて、ユーザが利用できる番組情報へと加工されている。この加工が行われるのは、放送番組は地域に応じて、放送チャンネル番号、放送時間帯等が異なる場合があるからである。したがって、友達が推薦した番組と同じ番組をユーザがサーチして取得しやすいように、番組情報がサーバにて加工（例えば、放送チャンネル番号、放送時間帯等が加工）されて当該ユーザに提供される。お勧め番組情報を取得する方法としては、その他、カレンダー等から取得する方法もある。
【００２４】
また、表示領域１０２のガイド画像を利用して、ガイド画像を管理する管理機能に登録されている友達に対して、メール、ショートメッセージ等を送信することも可能である。
【００２５】
次に、表示領域１０３のガイド画像の利用例について説明する。例えば、現在視聴している番組（表示領域１０１に表示されている番組）がドラマである場合において、ユーザが気に入ったシーン、または好きな出演者が現れたシーンがあった場合を想定する。このような場合、ユーザは、リモートコントローラを操作して、レコメンドのガイド画像を選択して決定ボタンを押す。すると、ユーザが視聴している番組の番組情報がアテンション（またはノーティス）番組情報としてサーバにアップロードされる。サーバは、このアテンション番組情報をレコメンド番組情報の作成材料や当該番組のタグリスト作成情報として利用することができる。また、サーバには多くの視聴者から種々の番組に関するアテンション番組情報が送られてくるため、サーバは、アテンション番組情報を利用して統計処理を行うことができる。この統計処理により、人気度の高い番組順の番組情報リストを作成することができる。
【００２６】
また、ユーザは、リモートコントローラを操作して、コメント用のガイド画像を選択して決定ボタンを押すことができる。すると、ユーザが視聴している番組（表示領域１０１に表示されている番組画像）に関してショートメッセージを入力する画面が現れ、メッセージを入力することができる。メッセージは例えば、リモートコントローラまたは携帯端末のキーボードディスプレイから入力することができる。
【００２７】
更に、本実施形態に係るＴＶ装置は、録画予約をしている番組（以下、録画予約済み番組と表記）、録画中の番組（以下、録画中番組と表記）及び録画済みの番組（以下、録画済み番組と表記）等の一覧（以下、録画番組一覧と表記）を表示するためのメディアガイド再生機能（以下、ＭＧＲ機能と表記）を有する。このＭＧＲ機能は、ＴＶ装置上で動作するアプリケーションプログラムによって実現される機能である。
【００２８】
図１に示すクラウドメニュー画面１００の中央上部には、上記したＭＧＲ機能に対応するウィジェットを表示（配置）するための表示領域１０４が設けられている。この表示領域１０４には、ＭＧＲ機能に関する情報が表示される。なお、表示領域１０４（ＭＧＲ機能に対応するウィジェット）の詳細については後述する。
【００２９】
ユーザは、リモートコントローラを操作して、ＭＧＲ機能に対応するウィジェットを選択して決定ボタンを押すことによって、当該ＭＧＲ機能を利用することができる。また、クラウドメニュー画面１００には、例えば「メディアガイド（ＭｅｄｉａＧｕｉｄ）」と称されるボタン１０５が表示されている。ユーザは、リモートコントローラを操作して、このボタン１０５を指定することによってもＭＧＲ機能を利用することができる。更に、例えばリモートコントローラ２０に設けられている専用のボタンを押下することによってもＭＧＲ機能を利用することができる。
【００３０】
本実施形態に係るＴＶ装置は、このＭＧＲ機能によって表示される録画番組一覧として、カレンダービュー及びシリーズビューを表示する。カレンダービューは、日時（録画予約に基づいて録画される日時及び録画された日時）に基づいて録画予約済み番組、録画中番組及び録画済み番組の全ての一覧を表示するための画面である。一方、シリーズビューは、録画予約済み番組、録画中番組または録画済み番組のうち、各シリーズに属する複数の番組（以下、シリーズ番組と表記）の一覧を表示するための画面（第１画面）である。なお、このカレンダービュー及びシリーズビューの詳細については後述する。
【００３１】
また、クラウドメニュー画面１００において、表示領域１０４の下側には、友達とのコミュニケーションを図るために利用される表示領域１０６が表示される。この表示領域１０６では、例えば各種コミュニケーションツール（アプリケーション）に応じた友達からのコメント等が表示される。
【００３２】
なお、上記した図１に示すガイド画像は、表示領域１０１の視聴画像を除いて、タッチ式の入力操作部であってかつ表示部を有する携帯端末で表示することも可能である。つまり、ＴＶ装置は、当該ＴＶ装置の通信機能を介して、上記のガイド画像とガイド画像に対応する操作信号を携帯端末に移動させることができる。これにより、携帯端末は、ＴＶ装置と通信状態を維持することができ、上記したようにガイド画像を利用してＴＶ装置を操作することが可能となる。
【００３３】
また、図１においては省略されているが、クラウドメニュー画面１００には、例えばカレンダー等において当日の各種イベントの情報の要約が表示されるような領域が設けられていても構わない。
【００３４】
図２は、本実施形態に係るＴＶ装置１０の全体構成を示す。なお、図２では、デジタルテレビジョン受信機（以下、ＤＶＴと表記）の基本機能（テレビジョン信号受信、復調、制御信号処理、３Ｄ関連信号処理、記録、オーディオ処理、ビデオ処理及び表示機能等）は、まとめてＤＴＶ機能ブロック（またはモジュール）１１として示している。ＤＴＶ機能ブロック１１は、ＤＴＶインタフェース（ＩＦ）１２を介して、ブラウザセクションと接続される。
【００３５】
この例では、ブラウザセクションは、ソケット部１３、クラウドアプリケーション部１４及びアプリケーション共通部１５を含む。
【００３６】
ソケット部１３は、ＤＴＶインタフェース１２から見たサーバウェブソケット、ブラウザから見たクライアントウェブソケットを含む。
【００３７】
クラウドアプリケーション部１４は、統括コントローラ１４１、ビュー制御部（表示制御部）１４２、モデル１４３を含む。統括コントローラ１４１は、コマンド、インストラクションに呼応して各種のイベント処理を行う。統括コントローラ１４１は、ビュー制御部１４２を制御して、各種の描画処理を実現する。ビュー制御部１４２は、先に説明したクラウドメニュー画面１００内の各種画像及び制御信号を得ることができる。ビュー制御部１４２の動作に基づく画像及び制御信号は、例えばモデル１４３、ソケット部１３を介してＴＶ装置１０の表示部に画像及び制御ボタン等として反映される。
【００３８】
モデル１４３は、サーバへのアクセス、サーバからの情報取得、サーバへの情報送信、ＤＴＶ操作、ＤＴＶからのデータ受け取り等を行う。したがって、ＤＴＶからのメッセージを受け取り、サーバへ送信することができる。また、サーバから受け取ったメッセージをビュー制御部１４２と協働してＤＴＶの表示部の画面に表示させることができる。サーバとしては、アプリケーションサービス用のサーバ４１０、タイムクラウドサービス用のサーバ４１１、ログコレクタ用のサーバ４１２等が存在する。更に、これらのサーバ４１０〜４１２以外のサーバ（図示せず）が存在しても構わない。
【００３９】
ユーザは、リモートコントローラ２０を操作して、ＴＶ装置１０を制御することができる。リモートコントローラ２０を介してユーザによる操作（つまり、リモートコントローラ２０からの操作信号）は、モデレータ（ＭＯＤ）１６で分配される。クラウドアプリケーション部１４用として分配されたキーイベントは、統括コントローラ１４１によって受け付けられる（入力される）。また、アプリケーション共通部１５用として分配されたキーイベントは、ブラウザユーザインタフェース（ＢＵＩ）１７を介してアプリケーション共通部１５によって受け付けられる（入力される）。アプリケーション共通部１５は、アプリケーション要求コマンドに応じてアプリケーションサーバ４１０に対して指定されたアプリケーションを要求することができる。アプリケーションサーバ４１０から送られたアプリケーションは、モデル１４３を介してクラウドアプリケーション部１４に取り込まれる。ログコレクタ用のサーバ４１２は、例えばＴＶ装置１０及び他の接続装置で使用されるログを収集することができる。
【００４０】
ここで、ユーザによってクラウドサービスの提供が指示された場合には、ＴＶ装置１０のクラウドサービスのアプリケーションが起動される。これによってクラウドサービスが開始された場合、視聴コンテンツとともに、このコンテンツに関連するサービスメニューがタイムクラウドサービスサーバ４１１から提供され、当該サービスメニューを一覧表示させることができる。そして表示ステートに応じて、関連するサービスメニューを切り替え表示することができる。
【００４１】
なお、タイムクラウドサービスサーバ４１１は、他の各種サーバ及び他の情報処理装置ともネットワークを通じ接続されることができる。タイムクラウドサービスサーバ４１１は、ＴＶ装置１０に対して各種サービスデータを送ることができる。タイムクラウドサービスサーバ４１１は、映像コンテンツと、メタデータ作成会社やユーザ等が作成したシーン情報やタグリストとを関連づけることができる。関連づけられたデータは、例えばテーブル上に配置されている。
【００４２】
上記した図２に示す各ブロック及びその動作は、ソフトウェアを形成するインストラクションの集合（プログラム）で実現されてもよい。また、図２に示す各ブロック内にはソフトウェアによるデータ処理を実現するためのプロセッサまたは中央演算処理装置（ＣＰＵ）等が組み込まれている。更に、上記のソフトウェアは、メモリ（記憶媒体）に格納されており、バージョンアップが可能である。また、メモリ内のデータ（ソフトウェア）は、コンピュータにより読み取り可能である。
【００４３】
上記のＤＴＶは、複数のデジタルチューナを有し、同時に複数チャンネルを受信することができる。複数チャンネルの信号が復調されると、複数のストリームが得られる。各ストリームは、テレビジョン番組、制御信号などのパケットを含む。複数チャンネルの複数の番組のストリームは、ＵＳＢ接続された例えばＨＤＤに記録（録画）される。ＨＤＤは、記録された番組の番組情報を管理する管理情報を記録することもできる。
【００４４】
また、本実施形態に係るＴＶ装置１０においては、録画予約により、各種番組を録画することが可能である。録画予約は、ユーザが所望の番組を所望の記録装置（例えば、ＨＤＤ）に記録（録画）することを予約することである。この録画予約は、例えば、電子番組案内（ＥＰＧ）データから作成及び表示された番組表に対して、ユーザがリモートコントローラ２０を操作して所望の番組を選択することによって行われる。これにより、ユーザによって選択された所望の番組が例えばＨＤＤに録画される。複数の記録装置が家庭内ネットワークで接続されている場合、ユーザは、録画先のＨＤＤを指定することも可能である。
【００４５】
ここで、図３を参照して、本実施形態における番組の状態遷移について説明する。上述したように、例えば電子番組案内（ＥＰＧ）等に追加された新規番組については、録画予約をすることができる。なお、録画予約には、自動録画予約及びユーザ録画予約が含まれる。自動録画予約は、ＴＶ装置１０が有する自動録画機能に基づく録画予約であり、例えばタイムクラウドサービスサーバ４１１において収集されたアテンション番組情報やログコレクタ用のサーバ４１２において収集されたログ等に基づいて決定されたお勧め番組（レコメンド番組）を自動的に録画するための録画予約である。一方、ユーザ録画予約は、ユーザによって指定（設定）された番組を録画するための録画予約である。なお、ユーザ録画予約には、ユーザによって指定された１つの番組に対する録画予約と、ユーザによって指定された特定のシリーズに対する録画予約（以下、シリーズ録画予約と表記）が含まれる。このシリーズ録画予約によれば、特定のシリーズに属する複数の番組を一括して録画予約することができる。なお、シリーズに属する複数の番組としては、例えば複数回にわたって放送される連続ドラマ等が挙げられる。
【００４６】
上記した新規番組に対して録画予約がされた場合、当該新規番組は録画予約済み番組となる。なお、録画予約済み番組には、自動録画予約がされた自動録画予約済み番組及びユーザ録画予約がされたユーザ録画予約済み番組が含まれる。
【００４７】
ここで、番組を録画するＨＤＤにおいては、上述した自動録画予約に基づく番組の録画に使用される領域（自動録画領域）とユーザ録画予約に基づく番組の録画に使用される領域（ユーザ録画領域）とが区別されているものとする。この場合、自動録画予約に基づいて録画された番組は、自動録画領域の空き領域が不足すると、当該録画された日時が古いものから順に削除される。すなわち、自動録画済み番組については、ユーザが認知していないところで自動的に削除（以下、自動削除と表記）される場合がある。このため、ユーザは、後の自動削除を防止するために、例えば自動録画予約済み番組をユーザ録画予約済み番組に変更し、当該予約に基づいて録画される番組（録画済み番組）を保護することができる。なお、自動削除処理は、例えば１０分毎に実行される。
【００４８】
自動録画予約及びユーザ録画予約に基づいて番組の録画が開始されると、自動録画予約済み番組及びユーザ録画予約済み番組は、録画中番組となる。なお、上記した録画予約（自動録画予約またはユーザ録画予約）以外にも、ユーザは、番組（新規番組）が放送されている際に例えばリモートコントローラ２０に設けられている録画ボタン等を押下することによって当該番組を録画することも可能である。このような場合には、新規番組は、録画中番組となる。
【００４９】
録画中番組の録画が完了すると、当該録画中番組は録画済み番組となる。この録画済み番組には、自動録画済み番組及びユーザ録画済み番組が含まれる。自動録画済み番組は、上記した自動録画予約に基づいて録画された番組である。一方、ユーザ録画済み番組は、上記したユーザ録画予約に基づいて録画された番組及びリモートコントローラ２０に設けられている録画ボタン等が押下されることによって録画された番組である。なお、上記した自動削除を防止するために、自動録画済み番組をユーザ録画済み番組に変更し、当該録画済み番組を保護することも可能である。
【００５０】
また、ユーザによって指定された録画済み番組（自動録画済み番組及びユーザ録画済み番組）は、削除されることができる。なお、自動録画済み番組については、上記したように自動的に削除される場合もある。このように、録画済み番組が削除されると、当該録画済み番組は削除済み番組となる。
【００５１】
なお、ＴＶ装置１０は、上記した録画予約機能以外に、例えば視聴予約機能を備える。視聴予約は、ユーザが所望の番組を視聴することを予約することである。新規番組に対してこのような視聴予約がされた場合、当該新規番組は視聴予約済み番組となる。これによれば、視聴予約済み番組の放送時間帯にＴＶ装置１０において自動的に当該番組が表示される。
【００５２】
図２に示すビュー制御部１４２は、上記したように遷移する番組の状態に基づいて、上述したＭＧＲ機能により録画番組一覧を表示する処理を実行する。以下、図４のフローチャートを参照して、録画番組一覧を表示する際のビュー制御部１４２の処理手順について説明する。
【００５３】
まず、上記したようにユーザによってクラウドサービスの提供が指示された場合には、ＴＶ装置１０のクラウドサービスのアプリケーションが起動され、ビュー制御部１４２は、図１に示すようなクラウドメニュー画面１００を表示する（ブロックＢ１）。
【００５４】
ここで、ユーザは、リモートコントローラ２０を操作して、クラウドメニュー画面１００上でＭＧＲ機能の利用を指示することができる。具体的には、ユーザは、クラウドメニュー画面１００上の表示領域１０４に表示されているＭＧＲ機能に対応するウィジェットを選択する、または当該クラウドメニュー画面１００に設けられている「メディアガイド」ボタン１０５を指定することによって、ＭＧＲ機能の利用を指示することができる。なお、ＭＧＲ機能の利用の指示は、例えばリモートコントローラ２０に設けられている専用のボタンが押下されることによって行われても構わない。
【００５５】
ビュー制御部１４２は、上記したＭＧＲ機能の利用を指示する各種操作（以下、利用指示操作と表記）が受け付けられたか否かを判定する（ブロックＢ２）。
【００５６】
利用指示操作が受け付けられていないと判定された場合（ブロックＢ２のＮＯ）、処理は終了され、例えばクラウドメニュー画面１００の表示が継続される。
【００５７】
一方、利用指示操作が受け付けられたと判定された場合（ブロックＢ２のＹＥＳ）、ＴＶ装置１０においては必要事項の設定処理が実行される（ブロックＢ３）。このブロックＢ３においては、ユーザによるリモートコントローラ２０に対する操作に応じて、適宜ユーザによって選択されたサービスプロバイダ（ＴＶプロバイダ）及びその他の事項（例えば、ＴＶ装置１０を使用する国や地域、言語等）が設定画面上で設定される。また、ブロックＢ３においては、ユーザに対してログの取得を許可するか拒否するかの設定も行われる。なお、ログは、上述したように自動録画予約において用いられ、例えばログコレクタ用のサーバ４１２において収集されるデータである。このログの取得の許可または拒否は、設定画面に表示された許可ボタン及び拒否ボタンのいずれかをユーザが押下することによって設定することができる。ログの取得が拒否された場合には、例えば「このサービス（自動録画機能）を利用するためには、ログの取得を許可する必要があります。」等の警告メッセージが出力される。
【００５８】
上記したブロックＢ３の処理が実行されると、自動録画機能を設定するための処理（以下、自動録画機能設定処理と表記）が実行される（ブロックＢ４）。なお、自動録画機能設定処理の詳細については後述する。
【００５９】
次に、ビュー制御部１４２は、ユーザの操作に応じて、ＭＧＲ機能（を利用するためのアプリケーションプログラム）を起動し、録画番組一覧（ＭＧＲトップページ）を表示する（ブロックＢ５）。この録画番組一覧としては、例えば上述したカレンダービューまたはシリーズビューが表示される。なお、上記したようにＭＧＲ機能の起動時に、録画番組一覧としてカレンダービュー及びシリーズビューのいずれを表示するかについてはユーザにより適宜設定可能であるものとする。また、カレンダービュー及びシリーズビューは、後述するようにリモートコントローラ２０を操作することによって切り替え可能であるものとする。
【００６０】
この録画番組一覧（カレンダービュー及びシリーズビュー）において、録画予約済み番組、録画中番組及び録画済み番組は、当該各番組のコンテンツ情報（メタデータ）に基づいて配置される。このコンテンツ情報は、例えば上述したタイムクラウドサービスサーバ４１１において管理されている情報であり、当該タイムクラウドサービスサーバ４１１から取得することができる。
【００６１】
コンテンツ情報には、日時及び当該番組に関する情報（当該番組の番組情報）が含まれる。例えば録画予約済み番組のコンテンツ情報に含まれる日時は、当該録画予約に基づいて当該番組が録画される日時（つまり、当該番組が放送される日時）である。また、録画中番組のコンテンツ情報に含まれる日時は、当該番組が録画されている日時（当該番組が放送されている日時）である。更に、録画済み番組のコンテンツ情報に含まれる日時は、当該番組が録画された日時（当該番組が放送された日時）である。以下、録画予約に基づいて録画予約済み番組が録画される日時を便宜的に当該録画予約済み番組の日時、録画中番組が録画されている日時を便宜的に当該録画中番組の日時、録画済み番組が録画された日時を便宜的に当該録画済み番組の日時と称する場合がある。
【００６２】
また、上記したシリーズに属さない番組の番組情報には、番組名（番組のタイトル名）、出演者名及び番組の概要等が含まれる。一方、シリーズに属する番組の番組情報には、シリーズ名（番組のタイトル名）、シーズン番号、エピソード番号、エピソード名、出演者名及び番組の概要等が含まれる。
【００６３】
なお、上記したようにＭＧＲ機能が一度起動されると、次回のＭＧＲ機能の起動時には上記したブロックＢ３における必要事項の設定処理及びブロックＢ４における自動録画機能設定処理は省略されても構わない。
【００６４】
以下、本実施形態に係るＴＶ装置１０に表示される録画番組一覧（カレンダービュー及びシリーズビュー）について詳細に説明する。
【００６５】
まず、図５を参照して、ＴＶ装置１０に録画番組一覧として表示されるカレンダービューについて説明する。
【００６６】
カレンダービュー２００には、複数の録画予約済み番組のアイコン及び複数の録画済み番組のアイコンの双方が表示される。
【００６７】
このカレンダービュー２００において、録画予約済み番組のアイコンは、当該録画予約済み番組の日時（つまり、当該録画予約済み番組が録画予約に基づいて録画される日時）順に配列される。また、録画済み番組のアイコンは、当該録画済み番組の日時（つまり、当該録画済み番組が録画された日時）順に配列される。この各番組のアイコンは、当該番組に関連する画像等であればよく、当該番組に含まれる画像（例えば、当該番組を表すサムネイル画像）を含む。また、各番組のアイコンとしては、上記した当該番組を表すサムネイル画像以外に、例えば各種サーバ等から取得される画像が用いられても構わない。
【００６８】
また、録画予約済み番組及び録画済み番組が上述したシリーズに属する番組である場合、当該番組のアイコンには、当該シリーズに属する番組であることをユーザに伝えるための所定のマーク（例えば、フォルダを表すマーク）が付加されている。なお、本実施形態においては、同一のシリーズに属する複数の番組のうちの少なくとも２つ以上の番組が録画予約済み番組または録画済み番組（もしくは録画中番組）である場合、当該少なくとも２つ以上の番組をシリーズ番組と定義する。また、このように定義されたシリーズ番組を構成する複数の番組（録画予約済み番組、録画済み番組または録画中番組）の各々をシリーズ構成番組と定義する。すなわち、本実施形態においては、シリーズに属する複数の番組のうちの例えば１つが録画予約済み番組または録画済み番組（もしくは録画中番組）であったとしても、当該番組は、録画番組一覧（カレンダービュー２００及び後述するシリーズビュー）においてはシリーズ（番組）として表示されない。一方、上述したシリーズ録画予約がされている場合には、１番組のみであってもシリーズとして表示されるものとする。
【００６９】
なお、上記したカレンダービュー２００において表示される各番組のアイコン（サムネイル画像）の詳細については後述する。
【００７０】
以下の説明では、各番組のアイコンは当該番組を表すサムネイル画像であるものとして説明する。また、カレンダービュー２００には各番組のアイコンが表示されるが、以下の説明では便宜的に、当該カレンダービュー２００に各番組が表示されるものとして説明する場合がある。なお、これらのアイコン（録画予約済み番組のアイコン及び録画済み番組のアイコン）は、２次元状（例えば、２次元マトリクス状）に配列される。
【００７１】
具体的には、図５に示すように、カレンダービュー２００は、番組表示領域２０１〜２０３を含む。
【００７２】
番組表示領域２０１は、他の番組表示領域２０２及び２０３より上位の位置に配置され、録画予約済み番組（を表すサムネイル画像）を表示する。また、番組表示領域２０１においては、最左端に録画される日時が直近の録画予約済み番組が配置され、他の録画予約済み番組が当該日時順に右側に配置される。すなわち、番組表示領域２０１には、録画される日時の昇順に録画予約済み番組が左側から配置される。
【００７３】
一方、番組表示領域２０１より下位に位置する番組表示領域２０２及び２０３には、過去の番組、つまり、録画済み番組（を表すサムネイル画像）が表示される。具体的には、番組表示領域２０２には、録画された日時が今週に該当する録画済み番組（つまり、今週録画された録画済み番組）が表示される。一方、番組表示領域２０３には、録画された日時が先週に該当する録画済み番組（つまり、先週録画された録画済み番組）が表示される。
【００７４】
なお、番組表示領域２０２及び２０３においては、各領域２０２及び２０３に表示される番組のうち、録画された日時が直近の番組が最左端に配置される。
【００７５】
具体的には、番組表示領域２０２には、今週録画された録画済み番組のうち、最新のものが最左端に配置され、他の録画済み番組（今週録画された番組）が録画された日時順に右側に配置される。なお、録画中番組が存在する場合には、当該録画中番組は、番組表示領域２０２の最左端に配置されるものとする。
【００７６】
また、番組表示領域２０３には、先週録画された録画済み番組のうち、最新のものが最左端に配置され、他の録画済み番組（先週録画された番組）が録画された日時順に右側に配列される。
【００７７】
すなわち、番組表示領域２０２及び２０３には、該当する録画済み番組（今週録画された番組及び先週録画された番組）が、録画された日時の降順に左側から配列される。
【００７８】
このように、本実施形態におけるカレンダービュー２００では、上位行（の番組表示領域２０１）に録画予約済み番組（つまり、未来の番組）を配列し、下位行（の番組表示領域２０２及び２０３）に録画済み番組（つまり、過去の番組）を配列することによって、録画予約済み番組と録画済み番組を別の行で表示する。また、録画予約済み番組は番組表示領域２０１において右側ほど未来になり、録画済み番組は各番組表示領域２０２及び２０３において左側ほど新しくなるようにマトリクス状に配列される。換言すれば、カレンダービュー２００においては、録画される日時が直近の録画予約済み番組と録画された日時が最新の録画済み番組が近接するように配列される。
【００７９】
これは、例えば一般的に文字等を書く方向は左から右であり、重要なものを左側に配置し、右側に重要でないものを配置した方がユーザが直感的に判別しやすいという観点に基づくものである。
【００８０】
なお、図５に示すように、各番組を表すサムネイル画像上には当該各番組の日付（つまり、録画予約に基づいて録画される日付または録画された日付）を表すアイコンが表示される。
【００８１】
また、図５に示す例では、例えば番組表示領域２０１には５つの番組（録画予約済み番組）が表示されているが、当該録画予約済み番組が６つ以上存在する場合、当該６つ目以降の番組については当該番組表示領域２０１を横方向（左方向）にスクロールすることによって表示可能である。なお、このスクロールは行単位（つまり、各番組表示領域単位）で行うことができるものとする。
【００８２】
また、例えば録画予約済み番組に対する録画予約が取り消された場合、または録画済み番組がＨＤＤ等の記録装置から削除された場合には、当該番組を表すサムネイル画像は、カレンダービュー２００から削除される。
【００８３】
ここで、ユーザは、カレンダービュー２００上で、例えば再生したい番組、詳細を確認したい番組等を選択（指定）することができる。この番組の選択は、ユーザがリモートコントローラ２０を操作し、当該番組（を表すサムネイル画像）上に設定（表示）されるフォーカス２０４を移動させることによって行われる。なお、図５に示す例では、フォーカス２０４は、番組表示領域２０２の最左端に位置する番組（録画済み番組）上に設定されている。フォーカス２０４は、図５に示す例では、番組を表すサムネイル画像を囲むフレームとして表示されているが、番組が選択されている状態をユーザが把握可能であれば他の態様であっても構わない。
【００８４】
このようにフォーカス２０４を移動させることによって番組が選択される（つまり、当該番組上にフォーカス２０４が設定される）と、カレンダービュー２００の上部に設けられている番組情報表示領域２０５には、当該フォーカス２０４に基づいて選択された番組（つまり、フォーカス２０４が表示されている番組）の番組情報が表示される。具体的には、番組情報表示領域２０５には、選択された番組が放送されたチャンネル（のロゴ）、当該番組のジャンル（を表すアイコン）、当該番組のタイトル、放送日（曜日）、放送開始時刻及び放送終了時刻が表示される。図５に示す例では、１月２２日（水曜日）の９：００ｐｍ〜１０：００ｐｍに放送されたタイトルが「ＸＸＸＸＸＸ」である番組に関する情報が表示されている。なお、番組情報表示領域２０５には、上記した以外に例えば出演者名等が表示されてもよい。更に、選択された番組が録画中番組である場合には、当該録画の進捗状況（つまり、当該番組の放送時間に対する録画済みの時間の割合）を表示するようにしてもよい。また、選択された番組が録画済み番組であり、当該録画済み番組が放送時間の途中から録画されている場合または放送時間の途中で録画が停止されている場合にも、当該番組の放送時間に対する録画済み時間の割合を表示するようにしてもよい。
【００８５】
上記したカレンダービュー２００において表示される各番組を表すサムネイル画像及び番組情報表示領域２０５に表示される番組情報（を含むコンテンツ情報）は、タイムクラウドサービスサーバ４１１から取得される。なお、番組を表すサムネイル画像が存在しない場合には、当該番組のジャンルを表す画像等が用いられても構わない。
【００８６】
更に、カレンダービュー２００の右上部には、ストレージ情報表示領域２０６が設けられている。このストレージ情報表示領域２０６には、録画済み番組の数や当該録画済み番組のうち視聴していない録画済み番組（未視聴番組）の数等が表示される。
【００８７】
また、ストレージ情報表示領域２０６には、番組の録画に使用されているストレージ（例えば、ＨＤＤ）の容量（つまり、使用容量）の割合（％）が表示される。なお、ここで表示されるストレージの使用容量は、上記したユーザ録画領域に対する使用容量であるものとする。
【００８８】
図５に示す例では、録画済み番組数（録画番組）が５５であり、そのうち未視聴番組数が２１であることが表示されている。また、ストレージの使用容量が８１％であることが表示されている。
【００８９】
ストレージ情報表示領域２０６には、上記した以外に、例えば自動録画機能がＯＮ状態であるかＯＦＦ状態であるかを示す情報や、エラー状態を示す情報等が表示されても構わない。また、自動録画機能がＯＮ状態である場合には、ストレージ情報表示領域２０６に自動録画済み番組の数等が表示されてもよい。
【００９０】
なお、図５に示す例では、番組表示領域２０１〜２０３のみが表示されているが、先々週以前に録画された番組（録画済み番組）については、図５に示すカレンダービュー２００を縦方向（上方向）にスクロールすることによって表示可能である。
【００９１】
以下、図６を参照して、カレンダービュー２００における各番組の表示位置について具体的に説明する。
【００９２】
ここでは、現在が１月２２日（水曜日）であるものとする。また、本実施形態においては、１つの週を月曜日から日曜日として定義する。
【００９３】
この場合におけるカレンダービュー２００においては、例えば１月２２日（現在）以降に録画される予定である録画予約済み番組は、他の番組表示領域よりも上位に配置される番組表示領域（つまり、録画予約に対応する番組表示領域）２０１に表示される。なお、番組表示領域２０１における録画予約済み番組は、上記したように録画される日時の昇順に左側から配列される。
【００９４】
一方、１月２０日（月曜日）から１月２２日（現在）までの間に録画された録画済み番組は、番組表示領域２０１の１つ下位に配置される番組表示領域（つまり、今週に対応する番組表示領域）２０２に表示される。なお、録画中番組が存在する場合、当該録画中番組は、この番組表示領域２０２に表示される。
【００９５】
更に、１月１３日（月曜日）から１月１９日（日曜日）の間に録画された録画済み番組は、番組表示領域２０２の１つ下位に配置される番組表示領域（つまり、先週に対応する番組表示領域）２０３に表示される。
【００９６】
また、１月１日（水曜日）から１月１２日（日曜日）までの間に録画された録画済み番組は、番組表示領域２０３の１つ下位に配置される番組表示領域（つまり、月の初めに対応する番組表示領域）２０７に表示される。なお、上記したようにカレンダービュー２００においては例えば３つの番組表示領域（例えば、番組表示領域２０１〜２０３）が一画面で表示されるが、当該カレンダービュー２００を上方向にスクロールすることによって、番組表示領域２０７（〜２０９等）を表示することができるものとする。
【００９７】
また、１２月の間に録画された録画済み番組は、番組表示領域２０７の１つ下位に配置される番組表示領域（つまり、１２月に対応する番組表示領域）２０８に表示される。
【００９８】
また、１１月の間に録画された録画済み番組は、番組表示領域２０８の１つ下位に配置される番組表示領域（つまり、１１月に対応する番組表示領域）２０９に表示される。
【００９９】
なお、上記した各番組表示領域２０２、２０３及び２０７〜２０９における録画済み番組は、上記したように録画された日時の降順に左側から配列される。
【０１００】
以下、詳しい説明については省略するが、１０月以前に録画された録画済み番組についても同様に、各月に対応する番組表示領域に表示されるものとする。また、各月に対応する番組表示領域は１２か月分用意されているものとし、それ以前（つまり、１年以上前）に録画された録画済み番組については、カレンダービュー２００において最下位に配置される番組表示領域（例えば、１年以上前に対応する番組表示領域）にまとめて表示されるものとする。
【０１０１】
なお、月初めや各月に対応する番組表示領域に表示されるべき録画済み番組が存在しない場合には、当該番組表示領域は省略されるものとする。具体的には、図６に示す例において、月初めに対応する番組表示領域２０７に表示される録画済み番組が存在しない場合には、番組表示領域２０８が番組表示領域２０３の１つ下位に配置されるように表示されるものとする。
【０１０２】
また、図６に示す例では、月の初めに対応する番組表示領域２０７が設けられているが、例えば現在が１月８日（水曜日）等の月の前半の日（月の始まりから２週間以内）であるような場合には、当該月の初めに対応する番組表示領域２０７は設けられず、番組表示領域２０８が番組表示領域２０３の１つ下位に配置されるように表示されるものとする。
【０１０３】
次に、図７〜図９を参照して、上述したカレンダービュー２００において表示される各番組を表すサムネイル画像（つまり、各番組のアイコン）の表示態様について具体的に説明する。
【０１０４】
まず、図７は、録画予約済み番組を表すサムネイル画像の表示態様を示す。なお、ユーザ録画予約済み番組については、シリーズ録画予約がされている番組（シリーズ録画予約済み番組）以外のユーザ録画予約済み番組と、当該シリーズ録画予約済み番組とを区別して説明する。ここでは、シリーズ録画予約済み番組以外のユーザ録画予約済み番組を便宜的にユーザ録画予約済み番組と称する。
【０１０５】
図７に示す例では、ユーザ録画予約済み番組の場合、当該番組を表すサムネイル画像２１１の左上部には、当該番組が録画される（予定の）日付を表すアイコン（以下、日付アイコンと表記）２１１ａが表示される。また、サムネイル画像２１１の下部には、番組のタイトル２１１ｂが表示される。更に、ユーザ録画予約済み番組を表すサムネイル画像２１１上には、録画予約済み番組であることをユーザに伝えるための所定のマーク２１１ｃが表示される。なお、図７に示す例では、所定のマーク２１１ｃとして時計を表すマークが示されている。
【０１０６】
一方、自動録画予約済み番組の場合、当該番組を表すサムネイル画像２１２上には、上記したユーザ録画予約済み番組の場合と同様に、日付アイコン２１２ａ、タイトル２１２ｂ及び所定のマーク２１２ｃが表示される。更に、自動録画予約済み番組を表すサムネイル画像２１２上には、自動録画予約済み番組であることを表すアイコン２１２ｄが表示される。
【０１０７】
また、シリーズ録画予約済み番組の場合、当該番組を表すサムネイル画像２１３上には、上記したユーザ録画予約済み番組及び自動録画予約済み番組の場合と同様に、日付アイコン２１３ａ、タイトル２１３ｂ及び所定のマーク２１３ｃが表示される。更に、シリーズ録画予約済み番組を表すサムネイル画像２１３上には、シリーズ録画予約済み番組であることを表すアイコン２１３ｄが表示される。このアイコン２１３ｄには、例えばシリーズにおけるエピソード番号を表すアイコン等が含まれる。
【０１０８】
なお、上記した録画予約済み番組（ユーザ録画予約済み番組、自動録画予約済み番組及びシリーズ録画予約済み番組）の場合、当該番組を表すサムネイル画像２１１〜２１３は、例えばグレイアウト表示される。
【０１０９】
ここで、上記したように録画予約済み番組を表すサムネイル画像の表示態様は、当該録画予約済み番組の状態、すなわち、例えばユーザ録画予約済み番組であるか、自動録画予約済み番組であるか、シリーズ録画予約済み番組であるかに応じて異なる。したがって、例えば同一の番組に対して複数の録画予約がされる（つまり、録画予約が重複する）場合に、当該番組をユーザ録画予約済み番組、自動録画予約済み番組及びシリーズ録画予約済み番組のいずれとして扱うかについて定義しておく必要がある。また、例えば放送される時間帯が重複する複数の番組を録画することができない場合において、当該複数の番組に対して録画予約がされる場合、いずれの番組に対する録画予約を有効なものとして扱うかについても定義しておく必要がある。以下、これらの場合における録画予約の扱いついて説明する。
【０１１０】
まず、例えば自動録画予約がされている番組（つまり、自動録画予約済み番組）に対して重複してユーザ録画予約がされる場合を想定する。この場合、自動録画予約済み番組は、ユーザ録画予約済み番組とされるものとする。つまり、本実施形態においては、ユーザ録画予約は自動録画予約に対して優先される。なお、自動録画予約済み番組がシリーズに属する番組であり、当該シリーズに対してシリーズ録画予約がされる場合には、当該自動録画予約済み番組はシリーズ録画予約済み番組とされる。
【０１１１】
次に、例えばユーザ録画予約がされている番組（つまり、ユーザ録画予約済み番組）と放送される時間帯が重複する他の番組に対して異なるユーザ録画予約がされる場合を想定する。この場合、既にユーザ録画予約がされている番組（ユーザ録画予約済み番組）に対するユーザ録画予約を維持するか、または当該ユーザ録画予約をキャンセルするかを問い合わせるメッセージが表示される。ここで、ユーザ録画予約をキャンセルすることにユーザが同意した場合には、当該ユーザ録画予約はキャンセルされ、他の番組に対するユーザ録画予約が有効となる（つまり、当該他の番組がユーザ録画予約済み番組となる）。
【０１１２】
更に、例えばユーザ録画予約がされている番組（つまり、ユーザ録画予約済み番組）と重複する時間帯にシリーズに属する他の番組が放送される場合であって、当該シリーズに対するシリーズ録画予約がされる場合を想定する。この場合、シリーズに属する複数の番組の全てについて録画予約（つまり、シリーズ録画予約）をするか、または既にユーザ録画予約がされている番組（ユーザ録画予約済み番組）と放送される時間帯が重複する番組以外の番組についてのみ録画予約をするかを問い合わせるメッセージが表示される。この場合、表示されたメッセージに対して同意された内容に応じた録画予約がされることとなる。
【０１１３】
また、例えば自動録画予約がされている番組（つまり、自動録画予約済み番組）がシリーズ番組を構成するシリーズ構成番組である場合において、当該自動録画予約済み番組に対する自動録画予約がキャンセルされる場合を想定する。この場合、自動録画予約済み番組に対する自動録画予約のみをキャンセルするか、または当該自動録画予約済み（シリーズ構成番組）によって構成されるシリーズ番組（つまり、複数のシリーズ構成番組）に対する全ての録画予約をキャンセルするかを問い合わせるメッセージが表示される。ここで、シリーズ番組に対する録画予約をキャンセルすることにユーザが同意した場合、当該シリーズ番組を構成するシリーズ構成番組についての全ての録画予約がキャンセルされ、後に放送される当該シリーズに属する番組についての自動録画予約もされないものとする。
【０１１４】
次に、図８は、録画中番組を表すサムネイル画像の表示態様を示す。なお、ユーザ録画予約に基づいて録画中である番組（ユーザ録画中番組）については、シリーズ録画予約に基づいて録画中であるユーザ録画中番組以外のユーザ録画中番組と、当該シリーズ録画予約に基づいて録画中である番組（以下、シリーズ録画中番組と表記）とを区別して説明する。ここでは、シリーズ録画中番組以外のユーザ録画中番組を便宜的にユーザ録画中番組と称する。一方、自動録画予約に基づいて録画中である番組は自動録画中番組と称する。
【０１１５】
図８に示す例では、ユーザ録画中番組の場合、当該番組を表すサムネイル画像２２１の左上部には、当該番組が録画されている日付を表すアイコン（日付アイコン）２２１ａが表示される。また、サムネイル画像２２１の下部には、番組のタイトル２２１ｂが表示される。更に、ユーザ録画中番組を表すサムネイル画像２２１上には、番組が録画中であることを表すアイコン（以下、録画中アイコンと表記）２２１ｃが表示される。なお、この録画中アイコン２２１ｃには、例えば赤色が付された丸型のアイコン等が含まれる。
【０１１６】
一方、自動録画中番組の場合、当該番組を表すサムネイル画像２２２上には、上記したユーザ録画中番組の場合と同様に、日付アイコン２２２ａ、タイトル２２２ｂ及び録画中アイコン２２２ｃが表示される。更に、自動録画中番組を表すサムネイル画像２２２上には、自動録画中番組であることを表すアイコン２２２ｄが表示される。なお、このアイコン２２２ｄとしては、上記した図７に示すアイコン２１２ｄと同様のものが用いられても構わない。
【０１１７】
また、シリーズ録画中番組の場合、当該番組を表すサムネイル画像２２３上には、上記したユーザ録画中番組及び自動録画中番組の場合と同様に、日付アイコン２２３ａ、タイトル２２３ｂ及び録画中アイコン２２３ｃが表示される。更に、シリーズ録画中番組を表すサムネイル画像２２３上には、シリーズに含まれる番組（つまり、シリーズ録画中番組）であることを表すアイコン２２３ｄが表示される。なお、アイコン２２３ｄには、例えばシリーズにおけるエピソード番号を表すアイコン等が含まれる。
【０１１８】
次に、図９は、録画済み番組を表すサムネイル画像の表示態様を示す。なお、ユーザ録画済み番組については、シリーズ録画予約に基づいて録画された番組（シリーズ録画済み番組）以外のユーザ録画済み番組と、当該シリーズ録画済み番組とを区別して説明する。ここでは、シリーズ録画済み番組以外のユーザ録画済み番組を便宜的にユーザ録画済み番組と称する。
【０１１９】
図９に示す例では、ユーザ録画済み番組の場合、当該番組を表すサムネイル画像２３１の左上部には、当該番組が録画された日付を表すアイコン（日付アイコン）２３１ａが表示される。また、サムネイル画像２３１の下部には、番組のタイトル２３１ｂが表示される。また、ユーザ録画済み番組がユーザによって視聴されていない（つまり、未視聴である）場合には、当該番組を表すサムネイル画像２３１上には、番組が未視聴であることを表すアイコン（以下、未視聴アイコンと表記）２３１ｃが更に表示される。なお、ユーザ録画済み番組がユーザによって視聴済みである（つまり、未視聴でない）場合には、当該番組を表すサムネイル画像２３１上には未視聴アイコン２３１ｃは表示されない。
【０１２０】
一方、自動録画済み番組の場合、当該番組を表すサムネイル画像２３２上には、上記したユーザ録画済み番組の場合と同様に、日付アイコン２３２ａ及びタイトル２３２ｂが表示される。また、自動録画済み番組が未視聴である場合には、当該番組を表すサムネイル画像２３２上には未視聴アイコン２３２ｃが更に表示される。なお、自動録画済み番組が視聴済みである場合には、サムネイル画像２３２上には未視聴アイコン２３２ｃは表示されない。更に、自動録画済み番組を表すサムネイル画像２３２上には、自動録画済み番組であることを表すアイコン２３２ｄが表示される。なお、このアイコン２３２ｄとしては、上記した図７に示すアイコン２１２ｄ等と同様のものが用いられても構わない。
【０１２１】
また、シリーズ録画済み番組の場合、当該番組を表すサムネイル画像２３３上には、上記したユーザ録画済み番組及び自動録画済み番組の場合と同様に、日付アイコン２３３ａ及びタイトル２３３ｂが表示される。また、ユーザ録画済み番組が未視聴である場合には、当該番組を表すサムネイル画像２３３上には未視聴アイコン２３３ｃが更に表示される。なお、シリーズ録画済み番組が視聴済みである場合には、サムネイル画像２３３上には未視聴アイコン２３３ｃは表示されない。更に、シリーズ録画済み番組を表すサムネイル画像２３３上には、シリーズに含まれる番組（つまり、シリーズ録画済み番組）であることを表すアイコン２３３ｄが表示される。なお、アイコン２３３ｄには、例えばシリーズにおけるエピソード番号を表すアイコン等が含まれる。
【０１２２】
上記したように、録画済み番組（ユーザ録画済み番組、自動録画済み番組及びシリーズ録画済み番組）においては、未視聴アイコン２３１ｃ、２３２ｃ及び２３３ｃにより、当該録画済み番組が未視聴であるか視聴済みであるかを容易に把握することができる。
【０１２３】
なお、上記したようにカレンダービュー２００においてシリーズ構成番組として扱われる録画予約済み番組、録画中番組及び録画済み番組を表すサムネイル画像（つまり、シリーズ構成番組を表すサムネイル画像）には、当該シリーズ構成番組であることをユーザに伝えるための所定のマークが表示される。
【０１２４】
図１０は、シリーズ構成番組を表すサムネイル画像の表示態様を示す。図１０に示す例では、シリーズ構成番組を表すサムネイル画像２４１の左上部には、当該シリーズ構成番組の日付を表すアイコン（日付アイコン）２４１ａが表示される。なお、シリーズ構成番組の日付は、当該シリーズ構成番組が録画予約済み番組である場合には当該シリーズ構成番組が当該録画予約に基づいて録画される日付であり、当該シリーズ構成番組が録画中番組である場合には当該シリーズ構成番組が録画されている日付であり、当該シリーズ構成番組が録画済み番組である場合には当該シリーズ構成番組が録画された日付である。また、サムネイル画像２４１の下部には、シリーズ名（シリーズ番組のタイトル名）２４１ｂが表示される。更に、シリーズ構成番組を表すサムネイル画像２４１の中央部には、シリーズ構成番組であることをユーザに伝えるためのマークとして、例えばフォルダを表すマーク（以下、フォルダマークと表記）２４１ｃが表示される。
【０１２５】
なお、同一のシリーズ番組を構成するシリーズ構成番組の各々を表すサムネイル画像は当該シリーズ番組において同一のものが用いられるものとする。この場合、上記したフォルダマーク２４１ｃ内の領域にシリーズ構成番組（に対応するエピソード）に関連するサムネイル画像（つまり、当該シリーズ構成番組に固有のサムネイル画像）が表示されるようにしてもよい。これによれば、シリーズ構成番組自体の内容（概要）をユーザに把握させることができる。
【０１２６】
図１０においてはシリーズ構成番組を表すサムネイル画像の表示態様について説明したが、当該図１０において説明した以外の点については、上述した図７〜図９において説明した通りであるため、その詳しい説明は省略する。
【０１２７】
なお、上記した図５において説明したフォーカス２０４を移動させることによってシリーズ構成番組（を表すサムネイル画像）が選択されると、カレンダービュー２００の上部に設けられている番組情報表示領域２０５には当該シリーズ構成番組の番組情報が表示される。この場合、図１１に示すように、選択された番組がシリーズ構成番組であることをユーザに対して通知するために、番組情報表示領域２０５においては例えばチャンネル（のロゴ）がフォルダマーク（アイコン）中に表示されるものとする。なお、図１１に示す例では、番組情報表示領域２０５には、シリーズ構成番組の番組情報として、１月１７日（金曜日）の９：００ｐｍ〜１０：００ｐｍに放送されたシリーズ名（番組のタイトル）が「ＸＸＸＸＸＸ」であるシリーズ構成番組に関する情報が表示されている。また、番組情報表示領域２０５には、シリーズ構成番組が属するシリーズに対するシリーズ録画予約が設定されているか否かを示す情報や、当該シリーズ全体として放送期間等の情報が表示されても構わない。
【０１２８】
また、図７〜図１０においてはカレンダービュー２００上に表示される各サムネイル画像が１つの番組を表すものとして説明したが、当該カレンダービュー２００において同一のシリーズ番組を構成するシリーズ構成番組が同一の番組表示領域に複数存在する場合には、当該複数のシリーズ構成番組は１つのサムネイル画像で表示されるものとする。このような同一の番組表示領域に存在する複数のシリーズ構成番組を表すサムネイル画像上では、当該複数のシリーズ構成番組の日付のうち、直近の日付を表す日付アイコン２４１ａが表示されるものとする。また、同一の番組表示領域に存在する複数のシリーズ構成番組のうち少なくとも１つが録画中である場合には、当該複数のシリーズ構成番組を表すサムネイル画像上には、上述した録画中アイコン２２１ｃ、２２２ｃまたは２２３ｃに相当するアイコンが表示される。同様に、同一の番組表示領域に存在する複数のシリーズ構成番組のうち少なくとも１つが未視聴である場合には、当該複数のシリーズ構成番組を表すサムネイル画像上には、上述した未視聴アイコン２３１ｃ、２３２ｃまたは２３３ｃに相当するアイコンが表示される。
【０１２９】
なお、上記したように１つのサムネイル画像が複数のシリーズ構成番組を表す場合、当該サムネイル画像は、当該シリーズ構成番組の日付のうちの直近の日付（日時）、つまり、当該サムネイル画像上の日付アイコン２４１ａによって表される日付に基づいてカレンダービュー２００上に配列される。また、上記したようにカレンダービュー２００上でこのようなサムネイル画像が選択された場合、番組情報表示領域２０５には、複数のシリーズ構成番組のうち日付が直近のシリーズ構成番組の番組情報が表示される。更に、同一の番組表示領域に存在する複数のシリーズ構成番組を表すサムネイル画像上のフォルダマーク２４１ｃ内の領域に当該シリーズ構成番組に固有のサムネイル画像が表示される場合、当該フォルダマーク２４１ｃ内の領域には、当該複数のシリーズ構成番組のうち日付が直近のシリーズ構成番組に固有のサムネイル画像が表示されるものとする。
【０１３０】
また、本実施形態においては、上記したように同一のシリーズに属する複数の番組のうち少なくとも２つ以上の番組が録画予約済み番組、録画中番組または録画済み番組である場合に、これらの番組はシリーズ構成番組（シリーズ番組）として扱われる。このため、シリーズ構成番組は、ユーザ録画予約に基づく番組（ユーザ録画予約済み番組、ユーザ録画中番組及びユーザ録画済み番組）であってもよいし、自動録画予約に基づく番組（自動録画予約済み番組、自動録画中番組及び自動録画済み番組）またはシリーズ録画予約に基づく番組（シリーズ録画予約済み番組、シリーズ録画中番組及びシリーズ録画済み番組）であってもよい。具体的には、例えば連続ドラマ等のシリーズ番組において、最初の数話（の番組）については自動録画予約に基づいて録画され、残りの数話についてはユーザによって設定されたシリーズ録画予約に基づいて録画されたような場合であっても、これらの自動録画済み番組及びシリーズ録画済み番組はそれぞれ同一のシリーズ番組を構成するシリーズ構成番組として扱われる。
【０１３１】
上述したように、カレンダービュー２００上では、ユーザは、リモートコントローラ２０を操作することによって、当該カレンダービュー２００において配列された番組上に設定されているフォーカス２０４を移動させることができる。ここで、カレンダービュー２００上でフォーカス２０４を移動させるために用いられるリモートコントローラ２０（に対するユーザによる操作）について説明する。
【０１３２】
リモートコントローラ２０には、例えば矢印キー、決定ボタン（Ｅｎｔｅｒキー）、戻るボタン、ページ上／下ボタン、ページ左／右ボタン、Ｅｘｉｔボタン、ホームボタン、パーソナルボタン、ガイドボタン、サーチボタン、再生ボタン及び複数のカラーボタン等が設けられている。
【０１３３】
矢印キーは、上下左右のキーを含み、例えばカレンダービュー２００上に表示されているフォーカス２０４を各方向に移動させるためのキーである。例えばユーザによって矢印キー上が押下された場合には、フォーカス２０４は、現在の位置から１つ上に位置する番組上に設定される。
【０１３４】
なお、カレンダービュー２００上の各番組表示領域において表示される番組のうち最左端に位置する番組上にフォーカス２０４が設定されている場合において矢印キー左が押下されると、当該フォーカス２０４は、当該番組表示領域において最右端に位置する番組上に設定される。同様に、カレンダービュー２００上の各番組表示領域において表示されている番組のうち最右端に位置する番組上にフォーカス２０４が設定されている場合において矢印キー右が押下されると、当該フォーカス２０４は、当該番組表示領域において最左端に位置する番組上に設定される。ここでは、同一の番組表示領域内においてフォーカス２０４が移動されるものとして説明したが、番組表示領域の最左端に位置する番組上にフォーカス２０４が設定されている場合において矢印キー左が押下されると、１つ上位に配置されている番組表示領域の最右端に位置する番組上にフォーカス２０４が設定されても構わない。同様に、番組表示領域の最右端に位置する番組上にフォーカス２０４が設定されている場合において矢印キー右が押下されると、１つ下位に位置する番組表示領域の最左端に位置する番組上にフォーカス２０４が設定されても構わない。
【０１３５】
また、カレンダービュー２００上の各番組表示領域のうち最下位に配置されている番組表示領域（例えば、１年以上前に対応する番組表示領域）に位置する番組上にフォーカス２０４が設定されている場合において矢印キー下が押下されると、当該フォーカス２０４は、最上位に配置されている番組表示領域（例えば、録画予約に対応する番組表示領域）に位置する番組上に設定される。同様に、カレンダービュー２００上の各番組表示領域のうち最上位に配置されている番組表示領域（例えば、録画予約に対応する番組表示領域）に位置する番組上にフォーカス２０４が設定されている場合において矢印キー上が押下されると、当該フォーカス２０４は、最下位に配置されている番組表示領域（例えば、１年以上前に対応する番組表示領域）に位置する番組上に設定される。
【０１３６】
決定ボタン（Ｅｎｔｅｒ  ｋｅｙ）は、カレンダービュー２００上でフォーカス２０４に基づいて選択された番組（つまり、フォーカス２０４が設定されている番組）に対応するポップアップを表示するためのボタンである。上記したシリーズ番組（によって構成されるシリーズ構成番組）以外の番組が選択されて決定ボタンが押下された場合には、当該番組の番組情報を含む番組詳細ポップアップが表示される。一方、シリーズ番組を構成するシリーズ構成番組が選択されて決定ボタンが押下された場合には、当該シリーズ番組用のポップアップ（以下、シリーズフォルダポップアップと表記）が表示される。この番組詳細ポップアップ及びシリーズフォルダポップアップの詳細については後述する。
【０１３７】
なお、カレンダービュー２００が表示されている間に例えば自動録画済み番組が自動的に削除された場合、既に削除された番組であるにもかかわらず、カレンダービュー２００上に当該番組を表すサムネイル画像が表示されたままとなる可能性がある。このような場合において削除された番組（を表すサムネイル画像）が選択されて決定ボタンが押下された場合には、エラーが返されるものとする。
【０１３８】
戻るボタンは、前の状態に戻るためのボタンである。例えば上記した各ポップアップが表示された状態で戻るボタンが押下された場合には、当該ポップアップを閉じてカレンダービュー２００に戻ることができる。
【０１３９】
ページ上／下ボタンは、１画面に表示されている複数の番組表示領域（例えば、３つの番組表示領域）をまとめて切り替えるためのボタンである。上述した図６を用いて具体的に説明すると、例えばカレンダービュー２００における番組表示領域２０１〜２０３が１画面で表示されている場合においてページ下ボタンが押下されると、当該番組表示領域２０１〜２０３の下方向に配置されている番組表示領域２０７〜２０９が１画面で表示される。このようにページ下ボタンが押下されることによって番組表示領域２０７〜２０９が表示された場合、フォーカス２０４は、例えば番組表示領域２０７の最左端に位置する番組上に設定される。一方、例えばカレンダービュー２００における番組表示領域２０７〜２０９が１画面で表示されている場合においてページ上ボタンが押下されると、当該番組表示領域２０７〜２０９の上方向に配置されている番組表示領域２０１〜２０３が１画面で表示される。このようにページ上ボタンが押下されることによって番組表示領域２０１〜２０３が表示された場合、フォーカス２０４は、例えば番組表示領域２０３の最左端に位置する番組上に設定される。
【０１４０】
ページ左／右ボタンは、１つの番組表示領域において１画面に表示されている複数の番組（を表すサムネイル画像）をまとめて切り替えるためのボタンである。上述した図５に示すように例えば番組表示領域２０１において５つの番組が１画面で表示されている場合においてページ右ボタンが押下されると、当該番組表示領域２０１において当該５つの番組の更に右側に位置する番組（例えば、５つの番組）が表示される。なお、ページ左ボタンについても同様である。なお、このページ左／右ボタンによる操作の対象となる番組表示領域は、フォーカス２０４が設定されている番組を含む番組表示領域である。
【０１４１】
Ｅｘｉｔボタンは、上記したＭＧＲ機能を利用するためのアプリケーションを終了するためのボタンである。
【０１４２】
ホームボタンは、上述した図１に示すクラウドメニュー画面１００のようなホーム画面に移動するためのボタンである。
【０１４３】
パーソナルボタン（ＭＧＲボタン）は、例えばＭＧＲトップページ（録画番組一覧）及びビデオフルスクリーン表示等を切り替えるためのボタンである。具体的には、ビデオフルスクリーンにおいて各種放送番組を視聴しているときにパーソナルボタンが押下された場合には、ＭＧＲトップページが開かれる。一方、ＭＧＲトップページ（または後述する各種ポップアップ等）が開かれているときにパーソナルボタンが押下された場合には、当該ＭＧＲトップページは閉じられる。なお、このパーソナルボタンは、上述したＭＧＲ機能の利用をＴＶ装置１０に対して指示する際に用いることもできる。
【０１４４】
ガイドボタンは、番組表（ＥＰＧグリッド）を表示するためのボタンである。サーチボタンは、例えばユーザが所望の番組を検索する検索画面（サーチポータル）を開くためのボタンである。
【０１４５】
再生ボタンは、例えばフォーカス２０４が設定されている録画済み番組（コンテンツ）を再生するためのボタンである。なお、フォーカス２０４が録画予約済み番組上に設定されている場合には、この再生ボタンは無効であるものとする。ここでは詳細な説明を省略するが、リモートコントローラ２０には、例えば録画済み番組の再生時に用いられるボタンとして早送りボタン、早戻しボタン及び一時停止ボタン等も設けられている。
【０１４６】
複数のカラーボタンとしては、例えば赤色、緑色及び青色ボタンが設けられている。
【０１４７】
赤色ボタンは、カレンダービュー２００上でフォーカス２０４に基づいて選択された番組（つまり、フォーカス２０４が設定されている番組）を削除するためのポップアップ（以下、削除ポップアップと表記）を表示するためのボタンである。例えばシリーズ番組以外の番組が選択されて赤色ボタンが押下された場合には、当該番組の削除に関する確認メッセージとともに「はい」ボタン（及び「いいえ」ボタン）を含む削除ポップアップが表示される。この削除ポップアップにおいて「はい」ボタンがユーザによって選択された場合には、フォーカス２０４が設定されている番組が削除される。一方、シリーズ番組を構成するシリーズ構成番組が選択されて決定ボタンが押下された場合には、当該シリーズ番組全体を削除するか当該選択されたシリーズ構成番組のみを削除するかについての確認メッセージを表示する削除ポップアップが表示される。ユーザは、この削除ポップアップにおいてシリーズ番組全体を削除するか、または選択されたシリーズ構成番組のみを削除するかを選択することができる。
【０１４８】
緑色ボタンは、自動録画機能のＯＮまたはＯＦＦを設定する（切り替える）ためのボタンである。例えば自動録画機能がＯＦＦ状態にある場合おいて緑色ボタンが押下された場合には、当該自動録画機能がＯＮ状態にされる。一方、自動録画機能がＯＮ状態にある場合において緑色ボタンが押下された場合には、当該自動録画機能がＯＦＦ状態にされる。
【０１４９】
青色ボタンは、上述した図５に示すカレンダービュー２００及び後述するシリーズビューの表示を切り替えるためのボタンである。
【０１５０】
なお、複数のカラーボタンとしては上記した赤色、緑色及び青色ボタン以外にも他のボタン（例えば、黄色ボタン）が設けられている。この黄色ボタンは例えば無効であるが、必要に応じて適宜機能を割り当てることができる。また、カラーボタン以外のリモートコントローラ２０に設けられている各種ボタンに割り当てられる機能についても適宜変更することが可能であるものとする。
【０１５１】
以下、上記したシリーズ番組以外の番組が選択されて決定ボタンが押下された場合に表示される番組詳細ポップアップと、シリーズ番組を構成するシリーズ構成番組が選択されて決定ボタンが押下された場合に表示されるシリーズフォルダポップアップとの各々について説明する。
【０１５２】
まず、図１２は、番組詳細ポップアップの一例を示す。以下の説明において図１２に示す番組詳細ポップアップが表示される際に選択された番組を対象番組と称する。ここでは、対象番組は、ユーザ録画済み番組であるものとする。
【０１５３】
番組詳細ポップアップ３１０は、カレンダービュー２００上に表示される。この番組詳細ポップアップ３１０は、図１２に示すように、番組詳細表示領域３１１及びアクションボタン領域３１２を含む。
【０１５４】
番組詳細表示領域３１１には、対象番組を表す画像（サムネイル画像）及び当該対象番組の番組情報が表示される。この番組詳細表示領域３１１に表示される番組情報には、上記したカレンダービュー２００の上部に設けられている番組情報表示領域２０５に表示される情報（図５において説明したチャンネルのロゴ、タイトル、放送日、放送開始時刻、放送終了時刻及び出演者明等）に加えて、例えば対象番組の概要等の更なる詳細な情報が含まれる。
【０１５５】
アクションボタン領域３１２には、各種アクションを実行するためのボタン（以下、アクションボタンと表記）が表示される。図１２に示す例では、アクションボタン領域３１２には、再生ボタン、削除／取消ボタン、詳細ボタン及び閉じるボタンが表示されている。
【０１５６】
次に、図１３は、シリーズフォルダポップアップの一例を示す。以下の説明において、図１３に示すシリーズフォルダポップアップが表示される際に選択されたシリーズ構成番組よって構成されるシリーズ番組を対象シリーズ番組と称する。
【０１５７】
シリーズフォルダポップアップ３２０は、上述した番組詳細ポップアップ３１０と同様に、カレンダービュー２００上に表示される。このシリーズフォルダポップアップ３２０は、図１３に示すように、シリーズ番組表示領域３２１及びアクションボタン領域３２２を含む。
【０１５８】
シリーズ番組表示領域３２１の中央部には、対象シリーズ番組を構成するシリーズ構成番組の各々に対応する同一のサムネイル画像（対象シリーズ番組を表すサムネイル画像）が表示される。このシリーズ構成番組の各々に対応するサムネイル画像には、当該シリーズ構成番組に対応するエピソード番号を表すアイコンが表示される。エピソード番号を表すアイコンが表示される点以外におけるサムネイル画像の表示態様は、上述した図７〜図９において説明した通りであるため、その詳しい説明を省略する。シリーズ構成番組に対応するサムネイル画像は、当該シリーズ構成番組に対応するエピソード番号の昇順に左側から配列されて表示される。なお、シリーズ構成番組に対応するエピソード番号が存在しない場合には、シリーズ構成番組に対応するサムネイル画像は、当該シリーズ構成番組の日付の昇順（つまり、古い順）に左側から配列されて表示される。
【０１５９】
また、図１３に示す例では、エピソード番号が３〜７のシリーズ構成番組が表示されているが、シリーズ番組表示領域３２１を横方向にスクロールすることによって、当該エピソード番号が２以前または８以降のシリーズ構成番組（に対応するサムネイル画像）を表示することができる。また、シリーズ構成番組に対応するサムネイル画像の各々の下側には、当該シリーズ構成番組に対応するエピソード名が更に表示されている。
【０１６０】
なお、シリーズ番組表示領域３２１においては、上述したカレンダービュー２００と同様に、対象シリーズ番組を構成するシリーズ構成番組上にフォーカス３２３が設定される。シリーズフォルダポップアップ３２０が表示された時点では、このフォーカス３２３は、対象シリーズ番組を構成する複数のシリーズ構成番組のうち、ユーザによって視聴されていない録画済み番組（以下、未視聴録画済み番組と表記）であって録画された日付が最も古いシリーズ構成番組（に対応するサムネイル画像）上に設定される。一方、対象シリーズ番組を構成する複数のシリーズ構成番組の中に未視聴録画済み番組が存在しない場合には、フォーカス３２３は、録画済み番組であって録画された日付が直近のシリーズ構成番組上に設定される。更に、対象シリーズ番組を構成する複数のシリーズ構成番組の中に録画済み番組が存在しない（つまり、録画予約済み番組しか存在しない）場合には、フォーカス３２３は、録画予約済み番組であって録画予約に基づいて録画される日付が直近のシリーズ構成番組上に設定される。
【０１６１】
図１３に示すように、シリーズ構成番組に対応するサムネイル画像の各々は、上記したようにフォーカス３２３が設定されたシリーズ構成番組に対応するサムネイル画像がシリーズポップアップ３２０において最左端に位置するように配置されるものとする。
【０１６２】
ここで説明したフォーカス３２３が設定される手法は一例であり、他の手法によってフォーカス３２３が設定されても構わない。具体的には、シリーズフォルダポップアップ３２０が表示される際に選択されたシリーズ構成番組上にフォーカス３２３が設定されても構わない。
【０１６３】
このようなフォーカス３２３がシリーズ構成番組上に設定された状態で、リモートコントローラ２０に設けられている決定ボタンがユーザによって押下された場合、当該シリーズ構成番組に対応する番組詳細ポップアップが表示される。なお、ここで表示される番組詳細ポップアップは、上述した図１２において説明した番組詳細ポップアップと同様のものである。
【０１６４】
また、シリーズ番組表示領域３２１の上部には、上記したようにフォーカス３２３が設定されているシリーズ構成番組の番組情報が表示される。このシリーズ番組表示領域３２１の上に部に表示される番組情報は、上記したカレンダービュー２００の上部に設けられている番組情報表示領域２０５に表示される情報（図１１において説明したチャンネルのロゴ、シリーズ名、放送日、放送開始時刻、放送終了時刻及び出演者名等）と同様である。
【０１６５】
アクションボタン領域３２２には、各種アクションを実行するためのボタン（アクションボタン）が表示される。図１２に示す例では、アクションボタン領域３２２には、全て削除ボタン、シリーズ録画／取消ボタン、一括自動削除防止ボタン及び閉じるボタンが表示されている。
【０１６６】
ここで、上記した図１２及び図１３に示すように、番組詳細ポップアップ３１０とシリーズフォルダポップアップ３２０とでは表示されるアクションボタン（の種類）が異なる。また、図１２及び図１３においてはユーザ録画済み番組及びシリーズ番組の場合についてのみ説明したが、アクションボタンは、ポップアップが表示される際に選択された番組の状態に応じて異なる。
【０１６７】
図１４は、ポップアップが表示される際に選択された各番組の状態に応じて表示されるアクションボタンの一例を示す。図１４に示すように、アクションボタンには、例えば番組表ボタン、再生ボタン、削除／取消ボタン、全て削除ボタン、シリーズ録画／取消ボタン、詳細ボタン、自動削除防止ボタン、一括自動削除防止ボタン及び終了ボタンが含まれる。
【０１６８】
番組表ボタンは、番組表（ＥＰＧグリッド）を表示するためのボタンである。再生ボタンは、番組詳細ポップアップが表示される際に選択された番組（録画済み番組）を再生するためのボタンである。
【０１６９】
削除／取消ボタンは、例えば番組詳細ポップアップが表示される際に選択された番組が録画予約済み番組（自動録画予約済み番組またはユーザ録画予約済み番組）である場合に、当該録画予約を取り消すためのボタンである。また、削除／取消ボタンは、例えば番組詳細ポップアップが表示される際に選択された番組が録画済み番組（自動録画済み番組またはユーザ録画済み番組）である場合に、当該録画済み番組をＨＤＤ等の記録装置から削除するためのボタンである。
【０１７０】
全て削除ボタンは、例えばシリーズフォルダポップアップが表示される際に選択されたシリーズ構成番組によって構成されるシリーズ番組を全て削除するためのボタンである。
【０１７１】
シリーズ録画／取消ボタンは、例えば番組詳細ポップアップまたはシリーズフォルダポップアップが表示される際に選択された番組がシリーズに属する番組である場合（つまり、シリーズ録画予約が可能である場合）に、当該シリーズに対してシリーズ録画予約をするためのボタンである。また、シリーズ録画／取消ボタンは、例えば番組詳細ポップアップまたはシリーズフォルダポップアップが表示される際に選択された番組が属するシリーズに対して既にシリーズ録画予約がされている場合に、当該シリーズ録画予約を取り消すためのボタンである。なお、このシリーズ録画／取消ボタンが指定されることによってシリーズ録画予約が取り消された場合であっても、録画予約済み番組、録画中番組または録画済み番組の中に同一のシリーズに属する番組が２つ以上存在する場合には、当該番組はシリーズ番組として扱われる。
【０１７２】
詳細ボタンは、例えば番組詳細ポップアップが表示される際に選択された番組の詳細を表示するためのボタンである。ここで表示される番組の詳細は、上記した図１２に示す番組詳細表示領域３１１に表示される情報よりも詳細な情報であるものとする。
【０１７３】
自動削除防止ボタンは、例えば番組詳細ポップアップが表示される際に選択された番組が自動録画予約済み番組または自動録画済み番組である場合において、前述した自動削除の防止を設定するためのボタンである。すなわち、この自動削除防止ボタンが指定された場合には、自動録画予約済み番組及び自動録画済み番組は、自動的に削除されず保護される。
【０１７４】
一括自動削除防止ボタンは、例えばシリーズフォルダポップアップが表示される際に選択されたシリーズ構成番組によって構成するシリーズ番組全体に対して上記した自動削除の防止を設定するためのボタンである。
【０１７５】
閉じるボタンは、番組詳細ポップアップまたはシリーズフォルダポップアップを閉じるためのボタンである。
【０１７６】
図１４に示す例では、例えばポップアップが表示される際に選択された番組が自動録画予約済み番組である場合には、当該ポップアップ（番組詳細ポップアップ３１０のアクションボタン領域３１２）には、番組表ボタン、削除／取消ボタン、シリーズ録画／取消ボタン、詳細ボタン、自動削除防止ボタン及び閉じるボタンが表示されることが示されている。なお、ポップアップが表示される際に選択された番組がシリーズ録画予約を行うことができない番組である場合には、シリーズ録画／取消ボタンは表示されない。上述した図１２はポップアップが表示される際に選択された番組がユーザ録画済み番組である場合の番組詳細ポップアップの例を示しているが、当該図１２では当該番組がシリーズ録画予約を行うことができない番組である場合を想定している。
【０１７７】
なお、図１４に示す例では、例えば自動録画予約済み番組及びユーザ録画予約済み番組の場合には再生ボタン等は表示されないが、当該再生ボタン等についてはグレイアウト表示されるような構成であっても構わない。
【０１７８】
更に、図１４に示す例では、シリーズ構成番組（つまり、シリーズフォルダポップアップ）の場合には再生ボタンは表示されないが、当該シリーズフォルダポップアップにおいても再生ボタンが表示されるようにしてもよい。このようにシリーズフォルダポップアップにおいて表示された再生ボタンがユーザによって指定された場合には、フォーカス３２３が設定されているシリーズ構成番組が再生されるようにすることができる。
【０１７９】
本実施形態においては、上述したようなポップアップ（番組詳細ポップアップ及びシリーズフォルダポップアップ）が表示されることによって、ユーザは、カレンダービュー２００上でフォーカス２０４に基づいて選択した番組の番組情報等を確認することができるとともに、当該番組に対する操作を行う（つまり、アクションを実行する）ことができる。
【０１８０】
次に、カレンダービュー２００上におけるフォーカス２０４について詳細に説明する。本実施形態においては、上述したように重要な番組（例えば、最新の録画済み番組等）をユーザが直感的に把握することが可能なように、フォーカス２０４は、デフォルト状態（つまり、カレンダービュー２００への遷移時）では録画された日時が直近の録画済み番組（つまり、図５に示す番組表示領域２０２の最左端に位置する録画済み番組）上に表示される。
【０１８１】
また、上述したようにリモートコントローラ２０に対するユーザの操作に応じてフォーカス２０４を移動させることができる。例えばフォーカス２０４が移動された後にカレンダービュー２００（の画面）から他の画面（例えば、後述するシリーズビュー、コンテンツ再生画面、クラウドメニュー画面１００または各種ポップアップ等）に遷移した場合、当該フォーカス２０４が設定されている番組（つまり、移動先のフォーカス２０４の位置）がＴＶ装置１０内（のメモリ等の記憶装置）に記憶される。
【０１８２】
ここで、本実施形態においては、上記した移動後のフォーカス２０４が設定されている番組（以下、フォーカス番組と表記）が記憶された後にカレンダービュー２００が再度表示される場合、当該フォーカス番組（フォーカス２０４の位置）に基づいて当該カレンダービュー２００の表示を変えることができる。この場合、フォーカス番組が所定の位置に設定（表示）されるようにカレンダービュー２００が表示される。
【０１８３】
図１５を参照して具体的に説明すると、まず、今週に対応する番組表示領域に番組Ａ〜Ｅが左側から順番に配列されている場合を想定する。この場合において、上記したフォーカス２０４を移動することによって当該フォーカス２０４が番組Ｃ上に設定されているものとする。
【０１８４】
ここで、カレンダービュー２００が他の画面に遷移した場合には、フォーカス番組として番組Ｃが記憶される。
【０１８５】
次に、カレンダービュー２００が再度表示される場合には、フォーカス番組Ｃが上から２番目の番組表示領域（ここでは、今週に対応する番組表示領域）の最左端に位置するようにカレンダービュー２００が表示される。この場合、図１５に示すように、カレンダービュー２００における今週に対応する番組表示領域には、番組Ｃ〜Ｇが左側から順番に配列される。なお、番組Ａ及びＢは、今週に対応する番組表示領域を右にスクロールした場合に表示されることになる。
【０１８６】
なお、図１５に示す例では、今週に対応する番組表示領域に表示されている番組Ｃがフォーカス番組である場合について説明したが、例えば他の番組表示領域に表示されている番組がフォーカス番組である場合も同様である。
【０１８７】
本実施形態においては、上記したようにカレンダービュー２００が再度表示される場合に、フォーカス番組を上から２番目の番組表示領域の最左端に位置するようにカレンダービュー２００を表示することにより、ユーザは、当該フォーカス番組（つまり、他の画面に移動する前に注目していた番組）を直感的に把握することができる。
【０１８８】
なお、ここでは、上記したようにフォーカス番組が記憶された後にカレンダービュー２００が再度表示される場合に当該フォーカス番組が所定の位置に表示されるようにカレンダービュー２００が表示されるものとして説明したが、このような表示方法は、カレンダービュー２００以外の画面が表示される場合に適用されても構わない。具体的には、カレンダービュー２００に表示されている全ての番組のうちの特定のジャンルの番組のみの一覧（以下、ジャンル一覧と表記）を表示するような機能を有する場合を想定する。この場合、ジャンル一覧が表示される前に表示されていたカレンダービュー２００上でフォーカスが設定されていた番組（フォーカス番組）が所定の位置に配置されるように当該ジャンル一覧が表示されても構わない。一方、ジャンル一覧を表示する場合には、フォーカス番組が当該ジャンルに該当しない番組であるために、当該フォーカス番組が当該一覧に表示されない場合がある。この場合には、上述したデフォルト状態の場合のように、特定のジャンル一覧の複数の番組のうち、録画された日時が直近の録画済み番組上にフォーカスを設定するようにしてもよい。
【０１８９】
ところで、上述したようにフォーカス２０４が設定されている番組について番組詳細ポップアップが表示された場合において、当該番組詳細ポップアップ（のアクションボタン領域）に表示された削除／取消ボタンがユーザによって指定されると、当該番組は記録装置から削除されるとともに、カレンダービュー２００からも削除される。
【０１９０】
以下、図１６を参照して、このようにフォーカス２０４が設定されている番組が削除された後に当該フォーカス２０４が設定される番組について説明する。ここでは、ケース１〜３について説明する。
【０１９１】
まず、ケース１は、図１６に示すように、特定の番組表示領域に左側から番組Ａ〜Ｅが表示されている場合において番組Ｃ４０１ａが削除される場合を想定している。このような番組Ｃ４０１ａが削除された場合には、フォーカス２０４は、番組Ｄ４０１ｂ上に設定されるものとする。すなわち、番組が削除される場合、カレンダービュー２００におけるフォーカス位置を維持することを基本的なルールとし、次の番組（つまり、削除された番組の右側の番組）上にフォーカス２０４が設定されるものとする。
【０１９２】
次に、ケース２は、図１６に示すように、特定の番組表示領域において右側に番組が存在しない番組Ｃ４０２ａが削除される場合を想定している。このような番組Ｃ４０２ａが削除された場合には、フォーカス２０４は、番組Ｂ４０２ｂ上に設定されるものとする。このように、削除された番組の右側に番組が存在しない（つまり、フォーカス２０４の位置を維持することができない）場合には、当該削除された番組の前の番組（つまり、削除された番組の左側の番組）上にフォーカス２０４が設定されるものとする。
【０１９３】
次に、ケース３は、図１６に示すように、特定の番組表示領域において１つしか番組が存在しない場合に、当該１つの番組Ａ４０３ａが削除される場合を想定している。このような番組Ａ４０３ａが削除された場合、フォーカス２０４は、番組Ｈ４０３ｂ上に設定されるものとする。このように、削除される番組のみが番組表示領域に表示されている場合において当該番組が削除された場合には、当該番組表示領域自体が削除され、当該削除された番組表示領域より下位の番組表示領域（ここでは、番組Ｈ〜Ｌが表示されている番組表示領域等）が繰り上げて配置される。この場合におけるフォーカス２０４は、削除された番組表示領域の位置に繰り上げて配置された番組表示領域の最左端に位置する番組上に設定されるものとする。
【０１９４】
なお、上記したように削除される番組のみが番組表示領域に表示されている場合において当該番組が削除された場合には当該番組表示領域が削除されるが、当該番組表示領域が録画予約、今週及び先週に対応する番組表示領域である場合には、図１７に示すように当該番組表示領域は削除されないものとする。
【０１９５】
ここで、図１７のケース４に示されるように、今週に対応する番組表示領域に表示されている番組Ａ４０４ａが削除された場合、フォーカス２０４は、先週に対応する番組表示領域の最左端に位置する番組４０４ｂ上に設定されるものとする。すなわち、図１７のケース４では、上記した録画予約、今週または先週に対応する番組表示領域において番組が全て削除された場合において、当該番組表示領域（以下、空番組表示領域と表記）の上位に配置された番組表示領域に再生可能な番組（つまり、録画済み番組）が存在しない場合を想定している。このような場合、フォーカス２０４は、空番組表示領域の下位に配置された番組表示領域（ここでは、先週に対応する番組表示領域）の最左端に位置する番組（録画済み番組）上に表示されるものとする。すなわち、フォーカス２０４を設定する対象とする番組としては、録画予約済み番組より録画済み番組（つまり、再生可能な番組）を優先する。
【０１９６】
なお、空番組表示領域の上位に配置された番組表示領域に再生可能な番組が存在する場合には、図１７のケース５に示すように、当該空番組表示領域（ここでは、先週に対応する番組表示領域）の上位に配置された番組表示領域（ここでは、今週に対応する番組表示領域）の最左端に位置する番組上にフォーカス２０４が設定されるものとする。
【０１９７】
また、図１８に示すように、例えばカレンダービュー２００において最下位に配置された番組表示領域が空番組表示領域となった場合には、当該番組表示領域は削除され、当該番組表示領域の１つ上位に配置された番組表示領域の最左端に位置する番組がフォーカス番組となる。
【０１９８】
本実施形態においては、上記したようにフォーカス２０４が設定されている番組が削除された場合であっても、当該フォーカス２０４を他の番組上に適切に設定することができる。
【０１９９】
ここでは、番組の削除に応じたフォーカス位置の移動（変更）について説明したが、例えば番組の削除以外の番組の状態の遷移に応じてもカレンダービュー２００における録画番組の一覧が変更される。具体的には、例えばカレンダービュー２００上の録画予約済み番組上にフォーカス２９０４が設定されていた場合において、当該録画予約済み番組が録画予約に基づいて録画された場合を想定する。この場合には、この録画予約済み番組は録画済み番組となり、当該録画予約済み番組（を表すサムネイル画像）は録画予約に対応する番組表示領域から今週に対応する番組表示領域に移動する。このとき、フォーカス２０４は今週に対応する番組表示領域に移動された番組上に設定される。すなわち、上述した番組が削除されるような場合とは異なり、フォーカス２０４が設定されていた番組がカレンダービュー２００上に存在している限りは、番組の状態が遷移した場合であっても当該番組上のフォーカス２０４の設定は維持されるものとする。
【０２００】
また、本実施形態においては、前述したシリーズフォルダポップアップ３２０におけるフォーカス３２３についてもユーザが直感的に把握しやすい位置（番組上）に設定されるように制御される。すなわち、シリーズフォルダポップアップ３２０においては、上述したように例えば未視聴録画済み番組であって録画された日付が最も古いシリーズ構成番組（つまり、再生する可能性の高いと推測されるシリーズ構成番組）を最左端に配列した上で、当該シリーズ構成番組上にフォーカス３２３が設定される。これによれば、ユーザは、シリーズフォルダポップアップ３２０において録画された日付が最も古い未視聴録画済み番組を容易に把握することができるとともに、当該シリーズ構成番組を再生する等の次の操作を容易に行うこと可能となる。
【０２０１】
また、シリーズフォルダポップアップ３２０が表示された後は、フォーカス３２３が設定されている番組が記憶される。これによれば、再度シリーズフォルダポップアップ３２０が表示される場合に、記憶された番組（つまり、フォーカス３２３が設定されていた番組）を最左端に配列した上で当該番組上にフォーカス３２３を設定することができる。
【０２０２】
次に、図１９を参照して、ＴＶ装置１０に録画番組一覧として表示されるシリーズビューについて説明する。なお、図１９に示すシリーズビュー５００は、上述したように録画予約済み番組、録画中番組または録画済み番組のうち、複数のシリーズ番組を一覧表示するための画面である。
【０２０３】
シリーズビュー５００は、例えば上述したカレンダービュー２００が表示されている状態において、リモートコントローラ２０に設けられている青色ボタン（カレンダービュー２００及びシリーズビュー５００の表示を切り替えるためのボタン）がユーザによって押下された場合に表示される。
【０２０４】
ここで、カレンダービュー２００からシリーズビュー５００への画面遷移の一例について簡単に説明する。カレンダービュー２００が表示されている状態において上記した青色ボタンが押下されると、まず、例えばカレンダービュー２００の番組表示領域２０５等が上方向に遷移し、当該カレンダービュー２００のヘッダ部にビュー名（例えば、「カレンダービュー」という文字列）が現れる。その後、カレンダービュー２００が例えば横にスライドしてＴＶ装置１０の画面上から消えるとともに、シリーズビュー５００が当該カレンダービュー２００に追従するようにスライドしてＴＶ装置１０の画面上に表示される。このシリーズビュー５００のヘッダ部には当該シリーズビュー５００のビュー名（例えば、「シリーズビュー」という文字列）が表示されている。このようにシリーズビュー５００が表示されると、当該シリーズビュー５００のヘッダ部に重なる位置に番組表示領域４０５等が配置される。これにより、カレンダービュー２００からシリーズビュー５００への画面遷移が完了される。
【０２０５】
なお、シリーズビュー５００は、ＭＧＲ機能が起動された際にＭＧＲトップページとして表示されるように設定されることも可能である。
【０２０６】
シリーズビュー５００では、上述したカレンダービュー２００に表示される複数の録画予約済み番組、録画中番組または録画済み番組のうち、各シリーズに属する複数の番組の各々（つまり、シリーズ番組を構成するシリーズ構成番組の各々）のアイコンが２次元マトリクス状に配置される。
【０２０７】
なお、本実施形態においては、シリーズビュー５００には、各シリーズ番組のうちの録画中番組及び録画済み番組であるシリーズ構成番組のアイコンが当該シリーズ番組毎に表示されるものとして説明するが、録画予約済み番組であるシリーズ構成番組のアイコンについてもシリーズビュー５００に表示されても構わない。
【０２０８】
具体的には、シリーズビュー５００において、各シリーズ（番組）は、当該シリーズ番組を構成するシリーズ構成番組（録画中番組及び録画済み番組）が録画された日時のうち直近の日時（以下、最新の日時と表記）に基づいてソートされる。また、シリーズビュー５００において、このようにソートされた各シリーズ番組を構成するシリーズ構成番組のアイコンは、当該シリーズ番組を構成するシリーズ構成番組に対応するエピソード番号順に配列される。なお、各番組（シリーズ構成番組）のアイコンは、上述した図５において表示されるものと同様であり、例えば図７〜図９等において説明した通りであるため、その詳しい説明を省略する。
【０２０９】
以下の説明では、上述したカレンダービュー２００の場合と同様に、シリーズビュー５００において表示される各番組のアイコンは当該番組を表すサムネイル画像（当該番組に対応するサムネイル画像）であるものとして説明する。また、シリーズビュー５００には各番組のアイコンが表示されるが、以下の説明では便宜的に、当該シリーズビュー５００に各番組が表示されるものとして説明する場合がある。
【０２１０】
なお、図１９においては、同一のシリーズ番組（を構成する複数のシリーズ構成番組）については同一のサムネイル画像が用いられているが、上述した当該シリーズ構成番組の各々を表すサムネイル画像としては当該シリーズ構成番組に固有のサムネイル画像（当該シリーズ構成バングに対応するエピソードに関連するサムネイル画像）が用いられても構わない。
【０２１１】
図１９に示すシリーズビュー５００について具体的に説明すると、当該シリーズビュー５００は、番組表示領域５０１〜５０３を含む。なお、この番組表示領域５０１〜５０３には、それぞれ異なるシリーズ番組（を構成するシリーズ構成番組）が表示される。また、番組表示領域５０１〜５０３には、当該番組表示領域に表示されるシリーズ番組に関する情報を表示するための領域（以下、シリーズ情報表示領域と表記）５０１ａ〜５０３ａが設けられている。
【０２１２】
番組表示領域５０１は、他の番組表示領域５０２及び５０３よりも上位の位置に配置され、上記した最新の日時が直近のシリーズ番組（を構成するシリーズ構成番組）を表示する。また、番組表示領域５０１においては、録画中番組及び録画済み番組であるシリーズ構成番組のうち当該シリーズにおけるエピソード番号が最大のシリーズ構成番組が最左端に配置され、他のシリーズ構成番組が当該エピソード番号順に右側に配置される。すなわち、番組表示領域５０１には、エピソード番号の降順にシリーズ構成番組（録画中番組及び録画済み番組）が左側から表示される。
【０２１３】
また、シリーズ情報表示領域５０１ａは、図１９に示すように、番組表示領域５０１中の上記したシリーズ構成番組（を表すサムネイル画像）の左側に設けられている。このシリーズ情報表示領域５０１ａには、番組表示領域５０１に表示されるシリーズ番組のシリーズ名、シーズン番号、当該シリーズ（番組）に対してシリーズ録画予約が設定されているか否かを示すアイコン及び当該シリーズ番組であって録画予約されている番組（つまり、録画予約済み番組）の数等が表示される。なお、この録画予約済み番組（の数）には、シリーズ録画予約済み番組以外に、自動録画予約済み番組及びユーザ録画予約済み番組も含まれる。また、シリーズ番組（を構成するシリーズ構成番組）にシーズン番号等が存在しない場合には、当該シーズン番号は、シリーズ情報表示領域５０１ａに表示されなくても構わない。
【０２１４】
なお、前述したカレンダービュー２００における番組を表すサムネイル画像の下部には番組のタイトル（名）が表示されるものとして説明したが、シリーズビュー５００におけるシリーズ構成番組を表すサムネイル画像の下部には番組のタイトル（シリーズ名）ではなく、当該シリーズ構成番組に対応するエピソード名が表示されるものとする。
【０２１５】
一方、番組表示領域５０１より下位に位置する番組表示領域５０２には、上記した番組表示領域５０１に表示されるシリーズ番組の次に最新の日時が直近のシリーズ番組（を構成するシリーズ構成番組）が表示される。なお、番組表示領域５０２においては、シリーズ構成番組を表すサムネイル画像として当該シリーズ構成番組（によって構成されるシリーズ番組）のジャンルを表す画像が用いられている例が示されている。
【０２１６】
また、番組表示領域５０２より下位に位置する番組表示領域５０３には、番組表示領域５０２に表示されるシリーズ番組の次に最新の日時が直近のシリーズ番組（を構成するシリーズ構成番組）が表示される。
【０２１７】
なお、番組表示領域５０２及び５０３は、表示されるシリーズ番組が異なる点以外は上記した番組表示領域５０１と同様であるため、その詳しい説明を省略する。また、番組表示領域５０２及び５０３に設けられるシリーズ情報表示領域５０２ａ及び５０３ａについても上記したシリーズ情報表示領域５０１ａと同様であるため、その詳しい説明を省略する。
【０２１８】
このように、本実施形態におけるシリーズビュー５００では、縦方向において複数のシリーズ（番組）が当該シリーズ番組における最新の日時の降順にソート（配列）され、当該シリーズ番組毎に、横方向において当該シリーズ番組を構成するシリーズ構成番組がエピソード番号の降順に配列されることにより、各シリーズ番組を構成するシリーズ構成番組（録画中番組及び録画済み番組）を表すサムネイル画像（アイコン）が２次元マトリクス状に配置される。
【０２１９】
なお、図１９においては、複数のシリーズ番組が当該シリーズ番組における最新の日時の降順にソートされて表示されるものとして説明したが、当該複数のシリーズ番組は異なる観点でソートされても構わない。具体的には、複数のシリーズ番組は、例えばシリーズ番組（を構成するシリーズ構成番組）の数の昇順または降順に配列されてもよいし、未視聴番組の数の昇順または降順に配列されてもよい。
【０２２０】
また、図１９においては、シリーズ構成番組（を表すサムネイル画像）がエピソード番号の降順に配列されるものとして説明したが、当該シリーズ構成番組は、エピソード番号の昇順に配列されるようにすることも可能である。
【０２２１】
また、図１９に示すように各シリーズ構成番組を表すサムネイル画像上には当該各シリーズ構成番組の日付（つまり、録画された日付）を表すアイコン及び当該各シリーズ構成番組に対応するエピソード番号を表すアイコンが表示されるが、当該エピソード番号が存在しない場合には当該エピソード番号を表すアイコンは表示されなくても構わない。この場合、番組表示領域５０１〜５０３には、当該番組表示領域に表示されるシリーズ番組を構成する複数のシリーズ番組が、録画された日時の降順に左側から配列されればよい。
【０２２２】
また、上述したカレンダービュー２００では、シリーズ構成番組を表すサムネイル画像にフォルダを表すマークが付加されるものとして説明したが、シリーズビュー５００におけるサムネイル画像は全てシリーズ構成番組を表すものであるため、このようなマークは付加されない。
【０２２３】
また、図１９に示す例では、例えば番組表示領域５０１には５つのシリーズ構成番組（録画済み番組）が表示されているが、当該シリーズ構成番組が６つ以上存在する場合、当該６つ目以降の番組については当該番組表示領域５０１を横方向（左方向）にスクロールすることによって表示可能である。なお、このスクロールは行単位（つまり、各番組表示領域単位）で行うことができるものとする。
【０２２４】
また、例えば録画済み番組であるシリーズ構成番組がＨＤＤ等の記録装置から削除された場合には、当該番組を表すサムネイル画像は、シリーズビュー５００から削除される。
【０２２５】
なお、上述したようにシリーズビュー５００には、シリーズ番組を構成するシリーズ構成番組のうち録画中番組及び録画済み番組（を表すサムネイル画像）のみが表示される。このため、本実施形態においては上述したように同一のシリーズに属する少なくとも２つ以上の番組が録画予約済み番組、録画中番組または録画済み番組として存在する場合には当該２つ以上の番組をシリーズ番組（シリーズ構成番組）として扱う（管理する）が、当該シリーズ構成番組の全てが録画予約済み番組である場合には当該シリーズ構成番組（によって構成されるシリーズ番組）はシリーズビュー５００には表示されないものとする。
【０２２６】
ここで、ユーザは、シリーズビュー５００上で、例えば再生した番組、詳細を確認したい番組等を選択（指定）することができる。この番組の選択は、ユーザがリモートコントローラ２０を操作し、当該番組（を表すサムネイル画像）上に設定（表示）されるフォーカス５０４を移動させることによって行われる。なお、フォーカス２０４は、デフォルト状態（つまり、シリーズビュー５００への遷移時）では番組表示領域５０１の最左端に位置する番組（シリーズ構成番組）上に設定されている。図１９に示す例では、ふぉーかす５０４は、番組を表すサムネイル画像を囲むフレームとして表示されているが、番組が選択されている状態をユーザが把握可能であれば他の態様であっても構わない。
【０２２７】
このようにフォーカス５０４を移動させることによって番組が選択される（つまり、当該番組上にフォーカス５０４が設定される）と、シリーズビュー５００の上部に設けられている番組情報表示領域５０５には、当該フォーカス５０４に基づいて選択された番組（つまり、フォーカス５０４が表示されている番組）の番組情報が表示される。
【０２２８】
更に、シリーズビュー５００の右上部には、ストレージ情報表示領域５０６が設けられている。
【０２２９】
この番組情報表示領域５０５及びストレージ情報表示領域５０６については、上述した図５等において説明したカレンダービュー２００の番組情報表示領域２０５及びストレージ情報表示領域２０６と同様であるため、その詳しい説明を省略する。なお、ここではカレンダービュー２００におけるストレージ情報表示領域２０６及びシリーズビュー５００におけるストレージ情報表示領域５０６は同様の情報を表示するものとして説明したが、シリーズビュー５００においては当該シリーズビュー５００に表示されているシリーズ番組うちの録画済み番組の数や未視聴番組の数が表示されても構わない。
【０２３０】
なお、図１９に示す例では、番組表示領域５０１〜５０３のみが表示されるものとして説明したが、当該番組表示領域５０１〜５０３以外の番組表示領域（つまり、番組表示領域５０１〜５０３に表示されているシリーズ番組以外のシリーズ番組）については、図１９に示すシリーズビュー５００を縦方向（上方向）にスクロールすることによって表示可能である。
【０２３１】
このようにシリーズビュー５００においてシリーズ番組（を構成するシリーズ構成番組を表すサムネイル画像）がスクロールして表示された後にシリーズビュー５００が例えばカレンダービュー２００のような他の画面（第２画面）に遷移する場合、当該スクロールに応じたシリーズビュー５００の表示状態（つまり、スクロール位置及びフォーカス位置等）は、ＴＶ装置１０内（のメモリ等の記憶装置）に記憶される。この場合において、シリーズビュー５００が再度表示される場合には、ＴＶ装置１０内に記憶された状態に基づいてシリーズビュー５００が表示される。換言すれば、シリーズビュー５００が再度表示される場合、当該シリーズビュー５００は、前回表示されていた状態（スクロール位置及びフォーカス位置）で表示される。
【０２３２】
なお、ここではシリーズビュー５００が前回表示されていた状態で表示されるものとして説明したが、カレンダービュー２００に関して上述した図１５において説明したように、記憶されたフォーカス位置（フォーカス５０４が設定されていた番組）に基づいて当該シリーズビュー５００の表示を変えることも可能である。この場合、フォーカス５０４が設定されていた番組が所定の位置に設定（表示）されるようにシリーズビュー５００が表示されてもよい。具体的には、例えばフォーカス５０４が設定されていた番組が表示される番組表示領域を最上位に配置し、かつ、当該番組を当該番組表示領域の最左端に配置するようにシリーズビュー５００を表示することができる。
【０２３３】
また、シリーズビュー５００において表示されるサムネイル画像の各々は単一の番組（シリーズ構成番組）を表している。すなわち、シリーズビュー５００に表示されている特定のシリーズ構成番組にフォーカス５０４が設定された状態で決定ボタンが押下された場合には、上述したシリーズフォルダポップアップではなく、番組詳細ポップアップが表示される。なお、この場合に表示される番組詳細ポップアップでは、上述した図１４に示す自動録画済み番組またはユーザ録画済み番組である場合におけるアクションボタンに加えて、シリーズ構成番組である場合におけるアクションボタン（例えば、シリーズ録画／取消ボタン等）が表示されても構わない。
【０２３４】
また、シリーズビュー５００においてシリーズ構成番組にフォーカス５０４が設定された状態で上述したリモートコントローラ２０に設けられている赤色ボタンが押下された場合には、例えば当該シリーズ構成番組によって構成されるシリーズ番組全体を削除するか当該選択されたシリーズ構成番組のみを削除するかについての確認メッセージを表示する削除ポップアップが表示されるものとする。
【０２３５】
ここでは、図１９を参照してシリーズビュー５００について説明したが、当該図１９を用いて説明した点以外（例えば、フォーカス５０４を移動させるために用いられるリモートコントローラ２０に設けられる各種ボタン、番組詳細ポップアップ及びフォーカス５０４の設定等）については上記したカレンダービュー２００と共通するため、その詳しい説明を省略する。
【０２３６】
なお、上述したようにカレンダービュー２００及びシリーズビュー５００が他の画面に遷移した場合、当該カレンダービュー２００及びシリーズビュー５００においてフォーカス２０４及び５０４が設定されている番組（つまり、フォーカス位置）が記憶されるが、当該フォーカス位置はビュー（つまり、カレンダービュー２００及びシリーズビュー５００）毎に管理（記憶）されるものとする。
【０２３７】
また、上述したカレンダービュー２００及びシリーズビュー５００についての説明では省略したが、当該カレンダービュー２００及びシリーズビュー５００のフッタ部には、例えばリモートコントローラ２０に設けられているページ上／下ボタン、ページ左／右ボタン、ガイドボタン、サーチボタン及び各種カラーボタンに相当するボタンが設けられている。すなわち、カレンダービュー２００及びシリーズビュー５００のフッタ部に設けられているこれらのボタンを指定（選択）することによっても上述したリモートコントローラ２０に対する操作と同等の操作を行うことができる。なお、カレンダービュー２００及びシリーズビュー５００のフッタ部に設けられるボタンは、例えば自動録画機能のＯＮ／ＯＦＦ等に応じて異なるようにしてもよい。
【０２３８】
次に、図２０のフローチャートを参照して、前述した自動録画機能設定処理（図４に示すブロックＢ４の処理）の処理手順について説明する。この自動録画機能設定処理は、ＴＶ装置１０においてＭＧＲ機能を利用するための前処理であり、前述した利用指示操作が受け付けられ、必要事項の設定が行われた後に実行される。
【０２３９】
自動録画機能設定処理において、ビュー制御部１４２は、自動録画機能の利用確認メッセージを表示する（ブロックＢ１１）。自動録画機能の利用確認メッセージは、ユーザに対して自動録画機能を利用するか否かを問い合わせるためのメッセージである。なお、この利用確認メッセージの近傍には、自動録画機能の利用を承諾することを指示するための「はい」ボタン、当該自動録画機能の利用を承諾しないことを指示するための「いいえ」ボタン及び当該利用確認メッセージを今後表示しないことを指示するためのチェックボックス等が併せて表示（ポップアップ表示）される。自動録画機能の利用を促すために、「はい」及び「いいえ」ボタンの一方を選択するためのフォーカスは「はい」ボタン上に設定されている。ユーザは、自動録画機能の利用を承諾する場合には「はい」ボタンを選択し、当該自動録画機能の利用を承諾しない場合には「いいえ」ボタンを選択することができる。また、利用確認メッセージを今後表示しないことを指示するためのチェックボックスは、デフォルト状態ではチェックされていないものとする。ユーザの操作に応じてこのチェックボックスがチェックされた場合には、自動録画機能の利用確認メッセージは今後表示されない。
【０２４０】
次に、ユーザによって選択されたボタンに応じて自動録画機能の利用が承諾されたか否かが判定される（ブロックＢ１２）。
【０２４１】
自動録画機能の利用が承諾された（つまり、上記した「はい」ボタンが選択された）と判定された場合（ブロックＢ１２のＹＥＳ）、ＴＶ装置１０において自動録画予約を行うことができる（つまり、自動録画可能である）か否かが判定される（ブロックＢ１３）。このブロックＢ１３の処理は、自動録画可能であるか否かのＴＶ装置１０のシステムチェックを含む。この場合、例えば自動録画予約に基づいて録画を行うために必要な記録装置（例えば、ＨＤＤ）がＴＶ装置１０に接続されているか否か等がチェックされる。
【０２４２】
自動録画可能であると判定された場合（ブロックＢ１３のＹＥＳ）、自動録画機能がＯＮされる（ブロックＢ１４）。これにより、ＴＶ装置１０において自動録画予約が行われる。この場合、自動録画機能がＯＮされた旨のメッセージ等が出力されても構わない。
【０２４３】
一方、自動録画機能の利用が承諾されていない（つまり、上記した「いいえ」ボタンが選択された）と判定された場合（ブロックＢ１２のＮＯ）、または自動録画可能でないと判定された場合（ブロックＢ１３のＮＯ）、自動録画機能はＯＮされない。
【０２４４】
なお、ブロックＢ１２において自動録画機能の利用が承諾されていないと判定された場合には、当該自動録画機能の利用を促すためのマーケティングメッセージが表示されても構わない。この場合、自動録画機能を利用した場合には電力消費量が多くなる旨が併せて通知されるようにしてもよい。
【０２４５】
また、ブロックＢ１３において例えばＨＤＤがＴＶ装置１０に接続されていないために自動録画可能でないと判定された場合には、当該ＨＤＤをＴＶ装置１０に接続することを促すような警告メッセージが出力されても構わない。このようなメッセージによりＨＤＤがＴＶ装置１０に接続された場合には、再度自動録画機能設定処理（またはブロックＢ１３の処理）が実行されるようにすることも可能である。
【０２４６】
次に、本実施形態に係るＴＶ装置１０において例えば録画済み番組（コンテンツ）が再生される場合について説明する。
【０２４７】
ここで、本実施形態に係るＴＶ装置１０においては、前述した複数の共通ログイン識別子（共通ＩＤ）を家族で使用するファミリーＩＤとして用いることによって、当該家族の構成員の各々がＴＶ装置１０を利用することができる。
【０２４８】
この場合における家族の構成員の中には子供が含まれる場合があり、上述した録画済み番組の内容によってはその視聴（再生）を制限したい場合がある。
【０２４９】
このため、本実施形態に係るＴＶ装置１０を利用する家族の構成員のうちの例えば親等は、所望の番組に対して暗証番号（ＰＩＮ）を設定することによって、当該番組の再生をロックすることができる。この暗証番号は、例えば０から９の数字からなる４ケタの番号であるものとする。なお、このようにロックされた番組（を示す情報）及び当該番組に対して設定された暗証番号は、例えばＴＶ装置１０内で管理されてもよいし、当該ＴＶ装置１０の外部のサーバ等で管理されてもよい。
【０２５０】
以下、図２１のフローチャートを参照して、本実施形態に係るＴＶ装置１０において録画済み番組が再生される場合の処理手順について説明する。
【０２５１】
まず、ＴＶ装置１０において、ユーザによって選択された録画済み番組（以下、再生対象番組と表記）に対する再生指示操作が受け付けられたものとする（ブロックＢ２１）。
【０２５２】
なお、再生対象番組に対する再生指示操作には、例えばカレンダービュー２００においてフォーカス２０４が再生対象番組上に設定されている状態でリモートコントローラ２０に設けられている再生ボタンをユーザが押下する操作、及び当該カレンダービュー２００において再生対象番組が選択されて決定ボタンが押下された際に表示される番組詳細ポップアップ上で再生ボタンをユーザが指定する操作等が含まれる。なお、ここではカレンダービュー２００が表示されている場合について説明したが、シリーズビュー５００が表示されている場合であっても同様である。
【０２５３】
次に、上記したＴＶ装置１０またはサーバで管理されている情報に基づいて、再生対象番組がロックされているか否かが判定される（ブロックＢ２２）。
【０２５４】
再生対象番組がロックされていると判定された場合（ブロックＢ２２のＹＥＳ）、ＴＶ装置１０には、暗証番号の入力を促すポップアップ（以下、暗証番号入力ポップアップと表記）が表示される（ブロックＢ２３）。この暗証番号入力ポップアップには、例えば「この番組はロックされています。番組を再生するためには暗証番号を入力して下さい。」等のメッセージが表示される。また、暗証番号入力ポップアップには４つのボックスが表示され、ユーザは、例えばリモートコントローラ２０（に設けられている例えばテンキー等）を操作することによって当該４つのボックスの各々に０〜９の数字を入力することができる。
【０２５５】
なお、暗証番号入力ポップアップの下部等に、例えば各ボックスには０〜９の数字のみを入力することができる旨の操作ガイドメッセージが表示されても構わない。
【０２５６】
この場合、暗証番号ポップアップの４つのボックスの各々に入力された数字からなる番号（以下、入力番号と表記）が、再生対象番組に対して設定された暗証番号と一致するか否かが判定される（ブロックＢ２４）。
【０２５７】
入力番号が再生対象番組に対して設定された暗証番号と一致すると判定された場合（ブロックＢ２４のＹＥＳ）、当該再生対象番組（コンテンツ）が再生される（ブロックＢ２５）。
【０２５８】
一方、入力番号が再生対象番組に対して設定された暗証番号と一致しないと判定された場合（ブロックＢ２４のＮＯ）、当該再生対象番組は再生されない。なお、この場合においては、例えば入力番号が暗証番号と一致しない旨の警告メッセージが出力される。
【０２５９】
また、再生対象番組がロックされていないと判定された場合（ブロックＢ２２のＮＯ）、上記したブロックＢ２５の処理が実行される。
【０２６０】
本実施形態においては、上記した図２１に示す処理が実行されることによって、例えば家族でＴＶ装置１０を利用するような場合において、家族の構成員のうちの特定の者（例えば、子供等）に対して番組の視聴を制限することができる。
【０２６１】
なお、ＴＶ装置１０を利用するに際して家族の構成員の年齢等を登録しておくことによって、所定の番組が自動的にロックされるような構成とすることも可能である。
【０２６２】
上記したように再生対象番組（コンテンツ）が再生されると、ＴＶ装置１０には、例えば図２２に示すようなコンテンツ再生画面６００が表示される。具体的には、コンテンツ再生画面６００は、コンテンツ表示領域６０１、番組情報表示領域６０２及びジャンル表示領域６０３等を含む。
【０２６３】
コンテンツ表示領域６０１には、再生された再生対象番組が表示される。番組情報表示領域６０２には、再生対象番組の番組情報が表示される。番組情報表示領域６０２に表示される番組情報には、例えば再生対象番組が放送されたチャンネル（のロゴ）、当該再生対象番組のタイトル、放送日、放送開始時刻及び放送終了時刻等が含まれる。また、番組情報表示領域６０２には、再生対象番組の再生状況（例えば、当該再生対象番組の再生時間等）を表すプログレスバーが更に表示される。また、ジャンル表示領域６０３には、再生対象番組のジャンルを表すアイコンが表示される。この番組情報表示領域６０２及びジャンル表示領域６０３（つまり、番組情報、プログレスバー及びジャンルを表すアイコン）は、リモートコントローラ２０に設けられている後述する番組の再生に関するボタン、矢印キー及び決定ボタン等が押下された際に表示されるようにしてもよい。
【０２６４】
なお、図２２においては省略されているが、例えば再生対象番組の再生中に他の番組を録画中である場合には、当該他の番組を録画中であることを示すアイコンや当該番組が放送されているチャンネル等がコンテンツ再生画面６００上に表示されてもよい。更に、再生対象番組が２Ｄ表示及び３Ｄ表示に対応している場合には、当該２Ｄ表示及び３Ｄ表示を切り替えることができる旨がコンテンツ再生画面６００上に表示されても構わない。
【０２６５】
また、ここではテレビジョン番組が再生される場合について説明したが、本実施形態に係るＴＶ装置１０は例えばラジオ番組等を録音及び再生する機能を有していてもよい。このようにＴＶ装置１０においてラジオ番組が再生される場合には、例えばコンテンツ再生画面６００には「音声のみ」等のメッセージが表示されても構わない。
【０２６６】
更に、上述したように再生対象番組（録画済み番組）が再生される場合、予め設定された広告（例えば、ビデオクリップ等）が当該再生前に表示されるような構成であっても構わない。なお、この広告は、例えば再生対象番組が自動録画済み番組であり、当該再生対象番組が広告を放送しない公共放送によるものでない（つまり、再生対象番組が放送されたチャンネルが公共放送のチャンネルでない）場合にのみ表示されるようにしてもよい。
【０２６７】
上記したように再生対象番組が再生された場合、ユーザは図２２に示すようなコンテンツ再生画面６００において当該再生対象番組を視聴することができるが、当該ユーザは、この再生対象番組の視聴中にリモートコントローラ２０等を操作することによって当該再生対象番組を早送り再生または早戻し再生等を行うことができる。
【０２６８】
なお、リモートコントローラ２０には、再生対象番組の再生に関するボタンとして、再生ボタン、一時停止ボタン、早送りボタン、早戻しボタン、停止ボタン、スキップ送りボタン及びスキップ戻しボタン等が設けられているものとする。
【０２６９】
以下、図２３を参照して、上記したリモートコントローラ２０に対するユーザの操作に応じた再生対象番組の状態遷移について説明する。なお、再生対象番組が再生された場合における当該再生対象番組の状態には、再生状態、一時停止状態、早送り状態及び早戻し状態等が含まれる。
【０２７０】
まず、上記したように再生対象番組の再生が開始された場合、当該再生対象番組は再生状態となる。この再生状態では、再生対象番組は通常速度で再生される。なお、前回のこの再生対象番組の再生が途中で終了（つまり、中断）されていた場合には、当該再生対象番組の再生は、当該中断位置から開始（再開）されるものとする。すなわち、例えば再生対象番組の再生が中断された場合には、当該中断位置はＴＶ装置１０内に保持される。
【０２７１】
ここで、再生対象番組が再生状態である場合においてリモートコントローラ２０に設けられている一時停止ボタンが押下された場合には、再生対象番組は一時停止状態に遷移する。
【０２７２】
また、再生対象番組が一時停止状態である場合においてリモートコントローラ２０に設けられている一時停止ボタンが押下された場合には、再生対象番組は再生状態に戻る。
【０２７３】
一方、再生対象番組が再生状態または一時停止状態である場合においてリモートコントローラ２０に設けられている早送りボタンが押下された場合には、再生対象番組は早送り状態に遷移する。この早送り状態において、再生対象番組は、上記した再生状態時の再生方向に対して順方向に、通常速度よりも早い速度で再生（早送り再生）される。
【０２７４】
なお、この早送り状態には、通常速度の２倍の速度で早送り再生される２倍早送り状態、通常速度の４倍の速度で早送り再生される４倍早送り状態、通常速度の８倍の速度で早送り再生される８倍早送り状態、通常速度の１６倍の速度で早送り再生される１６倍早送り状態、及び通常速度の３２倍の速度で早送り再生される３２倍早送り状態が含まれる。
【０２７５】
これらの各早送り状態間の遷移について説明すると、まず、再生対象番組が再生状態または一時停止状態である場合において早送りボタンが１度押下された場合には、再生対象番組は２倍早送り状態に遷移する。また、再生対象番組が２倍早送り状態である場合において早送りボタンが再度押下された場合には、再生対象番組は４倍早送り状態に遷移する。換言すれば、例えば再生対象番組が再生状態である場合には、早送りボタンが押下される度に早送り再生の速度が２倍になり、当該速度が増加する。
【０２７６】
一方、上記したように複数回早送りボタンが押下されることによって再生対象番組が３２倍早送り状態となった場合において早送りボタンが更に押下された場合には、再生対象番組は１６倍早送り状態に遷移するものとする。換言すれば、例えば再生対象番組が３２倍早送り状態となった後は、早送りボタンが押下される度に早送り再生の速度が１／２になり、当該速度が減少する。
【０２７７】
すなわち、本実施形態において、早送り状態は、早送りボタンの押下に応じて、２倍早送り状態、４倍早送り状態、８倍早送り状態、１６倍早送り状態、３２倍早送り状態、１６倍早送り状態、８倍早送り状態、４倍早送り状態、２倍早送り状態、４倍早送り状態、…の順に遷移する。
【０２７８】
また、再生対象番組が再生状態または一時停止状態である場合においてリモートコントローラ２０に設けられている早戻しボタンが押下された場合には、再生対象番組は早戻し状態に遷移する。この早戻し状態において、再生対象番組は、上記した再生状態時の再生方向に対して逆方向に、通常速度よりも早い速度で再生（早戻し再生）される。
【０２７９】
なお、この早戻し状態には、通常速度の２倍の速度で早戻し再生される２倍早戻し状態、通常速度の４倍の速度で早戻し再生される４倍早戻し状態、通常速度の８倍の速度で早戻し再生される８倍早戻し状態、通常速度の１６倍の速度で早戻し再生される１６倍早戻し状態、及び通常速度の３２倍の速度で早戻し再生される３２倍早戻し状態が含まれる。
【０２８０】
これらの各早戻し状態の間の遷移について説明すると、まず、再生対象番組が再生状態または一時停止状態である場合において早戻しボタンが１度押下された場合には、再生対象番組は２倍早戻し状態に遷移する。また、再生対象番組が２倍早戻し状態である場合において早戻しボタンが再度押下された場合には、再生対象番組は４倍早戻し状態に遷移する。換言すれば、例えば再生対象番組が再生状態である場合には、早戻しボタンが押下される度に早戻し再生の速度が２倍になり、当該速度が増加する。
【０２８１】
一方、上記したように複数回早戻しボタンが押下されることによって再生対象番組が３２倍早戻し状態となった場合において早戻しボタンが更に押下された場合には、再生対象番組は１６倍早戻し状態に遷移するものとする。換言すれば、例えば再生対象番組が３２倍早戻し状態となった後は、早戻しボタンが押下される度に早戻し再生の速度が１／２になり、当該速度が減少する。
【０２８２】
すなわち、本実施形態において、早戻し状態は、早戻しボタンの押下に応じて、２倍早戻し状態、４倍早戻し状態、８倍早戻し状態、１６倍早戻し状態、３２倍早戻し状態、１６倍早戻し状態、８倍早戻し状態、４倍早戻し状態、２倍早戻し状態、４倍早戻し状態、…の順に遷移する。
【０２８３】
なお、再生対象番組が上記した早送り状態または早戻し状態である場合においてリモートコントローラ２０に設けられている再生ボタンが押下された場合には、再生対象番組は再生状態に戻る。また、再生対象番組が早送り状態または早戻し状態である場合においてリモートコントローラ２０に設けられている一時停止ボタンが押下された場合には、再生対象番組は一時停止状態に遷移する。
【０２８４】
一方、再生対象番組が早送り状態である場合においてリモートコントローラ２０に設けられている早戻しボタンが押下された場合には、再生対象番組は早戻し状態（例えば、２倍早戻し状態）に遷移する。同様に、再生対象番組が早戻し状態である場合においてリモートコントローラ２０に設けられている早送りボタンが押下された場合には、再生対象番組は早送り状態（例えば、２倍早送り状態）に遷移する。
【０２８５】
なお、図２３においては省略されているが、例えば再生対象番組が再生状態（または一時停止状態）である場合においてリモートコントローラ２０に設けられている停止ボタンが押下された場合には、当該再生対象番組の再生が停止され、当該再生対象番組の再生前の画面に戻る。
【０２８６】
また、例えば再生対象番組がシリーズ構成番組であり、当該再生対象番組が再生状態（または一時停止状態）である場合においてリモートコントローラ２０に設けられているスキップ送りボタンが押下された場合には、当該シリーズ構成番組の次のシリーズ構成番組（つまり、次のエピソード番号に対応するシリーズ構成番組）の再生が開始されるものとする。なお、次のエピソード番号に対応するシリーズ構成番組が存在しない場合には、スキップ送りボタンは無効であるものとする。
【０２８７】
一方、再生対象番組が再生状態（または一時停止状態）である場合においてリモートコントローラ２０に設けられているスキップ戻しボタンが押下された場合には、当該再生対象番組は最初から再生されるものとする。なお、例えば再生対象番組がシリーズ構成番組であり、当該再生対象番組の再生時間が予め定められた範囲内（例えば、再生時間が４秒以内）である場合においてスキップ戻しボタンが押下された場合には、当該シリーズ構成番組の１つ前のシリーズ構成番組（つまり、１つ前のエピソード番号に対応するシリーズ構成番組）の再生が開始されるものとする。なお、１つ前のエピソード番号に対応するシリーズ構成番組が存在しない場合には、当該再生対象番組が最初から再生される。
【０２８８】
なお、図２３には示されていないが、再生対象番組がシリーズ構成番組である場合、再生対象番組の再生の終了に応じて、当該シリーズ構成番組の次のシリーズ構成番組（つまり、次のエピソード番号に対応するシリーズ構成番組）が自動的に再生されてもよい。
【０２８９】
次に、前述した図１に示すクラウドメニュー画面１００に設けられている表示領域１０４（に表示されるＭＧＲ機能に対応するウィジェット）について説明する。
【０２９０】
なお、表示領域１０４にはＭＧＲ機能に関する情報が表示されるが、当該情報は、当該ＭＧＲ機能に関する設定状態によって異なるものとする。以下、この表示領域１０４に表示される情報について、ＭＧＲ機能に関する設定状態毎に説明する。なお、ＭＧＲ機能に関する設定状態には、例えば上述したサービスプロバイダの設定がされていないという状態（以下、サービスプロバイダ未設定状態と表記）、当該サービスプロバイダの設定はされているが自動録画機能がＯＮされていないという状態（以下、自動録画機能ＯＦＦ状態と表記）、及びサービスプロバイダの設定がされており、かつ、自動録画機能がＯＮされているという状態（以下、自動録画機能ＯＮ状態と表記）を含む。
【０２９１】
まず、サービスプロバイダ未設定状態である場合について説明する。この場合、表示領域１０４には、ＭＧＲ機能におけるサービス名とともに、例えば「ＭＧＲ機能を利用する前にサービスプロバイダ（ＴＶプロバイダ）を設定して下さい。」等のメッセージが表示される。なお、この場合においてＭＧＲ機能に対応するウィジェットが選択されて決定ボタンが押下された場合、サービスプロバイダの設定画面（例えば、ポップアップ）が表示される。ユーザは、この設定画面においてサービスプロバイダを設定することができる。
【０２９２】
次に、自動録画機能ＯＦＦ状態である場合について説明する。この場合、表示領域１０４には、例えば自動録画機能がＯＮされた場合に自動録画予約がされると想定される番組（以下、自動録画候補番組と表記）が表示される。具体的には、上述したログの取得が許可されている場合には、当該ログに基づいてＴＶ装置１０を利用するユーザ向けの自動録画候補番組が表示される。一方、ログの取得が許可されていない場合には、一般的な自動録画候補番組（単に人気度の高い番組等）が表示される。このように表示領域１０４に自動録画候補番組を表示する場合には、当該自動録画候補番組のタイトル及び当該自動録画候補番組を表すサムネイル画像等が表示されるものとする。なお、この表示領域１０４に表示される自動録画候補番組は、クラウドメニュー画面１００が再表示される度に更新される。
【０２９３】
更に、表示領域１０４には、ＭＧＲ機能におけるサービス名とともに、例えば「このＴＶはあなたにとって素晴らしいこれらの番組（自動録画候補番組）を自動的に録画することができます。」等のメッセージが表示される。
【０２９４】
すなわち、自動録画機能がＯＮされていない場合には、表示領域１０４に自動録画候補番組及び上記したようなメッセージを表示することによって、ユーザに対して自動録画機能の利用を促すことができる。
【０２９５】
なお、この場合においてＭＧＲ機能に対応するウィジェットが選択されて決定ボタンが押下された場合には、例えば上述した自動録画機能設定処理が開始され、自動録画機能をＯＮすることができる。
【０２９６】
次に、自動録画機能ＯＮ状態である場合について説明する。この場合、表示領域１０４には、例えば録画される日時が直近の３つの自動録画予約済み番組（自動録画機能により自動録画予約がされた番組）が表示される。このように表示領域１０４に自動録画予約済み番組を表示する場合には、当該自動録画予約済み番組のタイトル及び当該自動録画予約済み番組を表すサムネイル画像等が表示されるものとする。
【０２９７】
一方、自動録画予約済み番組が存在しない場合には、表示領域１０４には、上述した一般的な自動録画候補番組等が表示されてもよいし、例えば現在自動録画予約済み番組がないことを表すウィジェット等が表示されても構わない。
【０２９８】
なお、この表示領域１０４に表示される自動録画予約済み番組は、クラウドメニュー画面１００が再表示される度に更新される。
【０２９９】
更に、表示領域１０４には、ＭＧＲ機能におけるサービス名とともに、例えば「このＴＶはあなたにとって素晴らしいこれらの番組（自動録画予約済み番組）を録画します。」等のメッセージが表示される。
【０３００】
すなわち、自動録画機能がＯＮされている場合には、表示領域１０４に自動録画予約済み番組及び上記したようなメッセージを表示することによって、ユーザに対して自動録画機能によって自動録画予約された番組を提示することができる。
【０３０１】
なお、自動録画機能がＯＮされている場合においてＭＧＲ機能に対応するウィジェットが選択されて決定ボタンが押下された場合には、ＭＧＲ機能が起動され、上述したＭＧＲトップページ（例えば、カレンダービュー２００またはシリーズビュー５００）が表示される。
【０３０２】
また、ＭＧＲ機能の起動は、上述したクラウドメニュー画面１００上に表示されている「メディアガイド」ボタン１０５を指定することによっても行うことができる。この「メディアガイド」ボタン１０５が指定された場合には、例えば図２４に示すように「番組表（ＥＰＧグリッド）」ボタン７０１及び「メディアガイドリプレイ（ＭＧＲ）」ボタン７０２が表示される。ユーザは、リモートコントローラ２０を操作することによって、これらのボタン７０１及び７０２上に設定されるフォーカス７０３を移動させることができる。これにより、ユーザは、「番組表」ボタン７０１及び「メディアガイドリプレイ」ボタン７０２の一方を選択することができる。「番組表」７０１ボタンが選択された場合には、ＴＶ装置１０には番組表が表示される。一方、「メディアガイドリプレイ」ボタン７０２が選択された場合には、上記したようにＭＧＲ機能が起動されて、ＭＧＲトップページ（カレンダービュー２００またはシリーズビュー５００）が表示される。
【０３０３】
なお、「番組表」ボタン７０１内の領域には、例えばユーザが番組表を選択するボタンであることを容易に把握することが可能なサムネイル画像（例えば、現在放送されている番組に関連する画像等）が表示される。一方、「メディアガイドリプレイ」ボタン７０２内の領域には、上述したＭＧＲ機能に関する画像（例えば、録画される日時が直近の録画予約済み番組を表すサムネイル画像等）が表示される。
【０３０４】
これにより、ユーザは、クラウドメニュー画面１００上で「メディアガイド」ボタン１０５を指定することによって、番組表の表示またはＭＧＲ機能の起動をＴＶ装置１０に対して指示することができる。
【０３０５】
上記したように本実施形態においては、ユーザによる操作（ＭＧＲ機能の利用を指示する操作）に応じて、録画予約済み番組、録画中番組または録画済み番組のうち、各シリーズに属する複数の番組の各々のアイコン（第１シリーズに属する複数の第１番組の複数の第１アイコンと、第２シリーズに属する複数の第２番組の第２アイコンと）が２次元状に配置されるシリーズビュー５００（第１画面）を表示する。このシリーズビュー５００において、各シリーズはそれぞれシリーズに属する複数の番組のうち少なくとも録画済み番組が録画された日時のうちの直近の日時に従ってソートされ、複数の番組の各々のアイコンは、それぞれシリーズにおける番組に対応するエピソード番号順に配列される。なお、本実施形態においては、同一のシリーズに属する複数の番組のうちの少なくとも２つ以上の番組が録画予約済み番組、録画中番組または録画済み番組である場合に、当該少なくとも２つ以上の番組をシリーズ番組（シリーズ構成番組）として定義する。
【０３０６】
すなわち、本実施形態においては、例えば各シリーズ番組を縦方向に最新の日時順に配列し、かつ、当該シリーズ番組を構成するシリーズ構成番組のアイコンを横方向にエピソード番号順に配列したシリーズビュー５００を一画面で表示することによって、視認性の高いシリーズ番組の一覧（画面）を表示することができる。これによれば、ユーザは、例えば記録装置に多数のシリーズ番組が記録されている場合であっても、新規に録画されたシリーズ番組（シリーズ構成番組）等を容易に把握することが可能となる。
【０３０７】
更に、本実施形態において、シリーズビュー５００はシリーズ毎にシリーズ録画予約が設定されているか否かを示す情報（例えば、アイコン等）を含む。本実施形態においては、このような構成により、ユーザは、シリーズビュー５００を閲覧する際に、各シリーズに対してシリーズ録画予約が設定されているか否かを容易に把握することが可能となる。
【０３０８】
また、本実施形態において、シリーズビュー５００は各シリーズのシリーズ名を含み、各シリーズ構成番組のアイコンはそれぞれシリーズにおける当該番組に対応するエピソード名を含む。本実施形態においては、このような構成により、ユーザは、シリーズビュー５００において各シリーズ番組を構成する複数のシリーズ番組の各々を区別して把握することができるため、所望の番組（例えば、再生したいシリーズ構成番組等）を容易に見つけ出すことが可能となる。
【０３０９】
また、本実施形態においては、録画中番組または録画済み番組のアイコンのみが２次元状に配置されるシリーズビュー５００を表示し、当該シリーズビュー５００はシリーズ毎の録画予約済み番組数を含む。ここで、シリーズビュー５００に対する操作としては、例えば再生を指示するための操作のような主に録画済み番組（または録画中番組）に対して行われるものが多い。このため、シリーズビュー５００においては、録画予約済み番組のアイコンは表示せず、録画中番組または録画済み番組のアイコンのみを表示することにより、ユーザによる操作性を向上させることができる。また、録画予約済み番組についてはシリーズ毎に録画予約済み番組数を表示することにより、ユーザは当該録画予約済み番組数についても容易に把握することが可能となる。
【０３１０】
また、本実施形態においては、各シリーズ番組を構成する複数のシリーズ構成番組のアイコンがスクロールして表示された後にシリーズビュー５００が他の画面（第２画面）に遷移する場合、当該スクロールに応じたシリーズビュー５００の状態（表示状態）を記憶し、当該シリーズビュー５００が再度表示される場合、当該記憶された状態に基づいて当該シリーズビュー５００を表示する。本実施形態においては、このような構成により、例えばシリーズビュー５００に対する操作を中断して他の画面を表示したような場合であっても、当該シリーズビュー５００を前回表示されていた状態で表示することができるため、ユーザの操作性を向上させることが可能となる。
【０３１１】
なお、本実施形態の処理はコンピュータプログラムによって実現することができるため、このコンピュータプログラムを格納したコンピュータ読み取り可能な記憶媒体を通じてこのコンピュータプログラムをコンピュータにインストールして実行するだけで、本実施形態と同様の効果を容易に実現することができる。
【０３１２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【０３１３】
１０…ＴＶ装置（電子機器）、１１…ＤＴＶ機能ブロック、１２…ＤＴＶＩＦ、１３…ソケット部、１４…クラウドアプリケーション部、１５…アプリケーション共通部、１６…ＭＯＤ、１７…ＢＵＩ、２０…リモートコントローラ、１４１…統括コントローラ、１４２…ビュー制御部、１４３…モデル、４１１…タイムクラウドサービスサーバ
【図１】
2016066920.tif 000003
【図２】
2016066920.tif 000004
【図３】
2016066920.tif 000005
【図４】
2016066920.tif 000006
【図５】
2016066920.tif 000007
【図６】
2016066920.tif 000008
【図７】
2016066920.tif 000009
【図８】
2016066920.tif 000010
【図９】
2016066920.tif 000011
【図１０】
2016066920.tif 000012
【図１１】
2016066920.tif 000013
【図１２】
2016066920.tif 000014
【図１３】
2016066920.tif 000015
【図１４】
2016066920.tif 000016
【図１５】
2016066920.tif 000017
【図１６】
2016066920.tif 000018
【図１７】
2016066920.tif 000019
【図１８】
2016066920.tif 000020
【図１９】
2016066920.tif 000021
【図２０】
2016066920.tif 000022
【図２１】
2016066920.tif 000023
【図２２】
2016066920.tif 000024
【図２３】
2016066920.tif 000025
【図２４】
2016066920.tif 000026